(57)【要約】注射器の連接状況は安定で、医務人員が容易に使用でき、医療仕事に利し、その操作が簡単で快速的であり、使用後の注射器が針ヘッドの露出ことによる病原の伝染を効果的に防止でき、且つ注射器における針筒と針帽子との間に一回性破壊手段を有し、且つ注射を実行する時に注射器の大部分の部材を破壊または係止でき、不法商売者のリサイクル使用を効果的に阻止でき、一回だけ使用の最終的目的を図る。楕円形針筒と針ロッドと針ベースと針とを有し、針ロッドの一端に取っ手を有し、その他端部にプランジャーを有し、取っ手がロッド体を介してプランジャーと連接し、針筒の底部中央に針ベースを取り付けるための取り付け孔を有し、針ベースが針筒内底部の針ベースプランジャーを介して針筒に取り付けられ、前記ロッド体には折り切れ易い手段を有し、針筒と針帽子とが一体成形されつつ、一回性破壊手段を設けた、医療道具に属する、注射器と、自己破壊手段を有する注射器と、針ヘッドを交換可能な自己破壊式注射器と、静脈注射器を提供する。
2004508145.tif 000002
【特許請求の範囲】
【請求項１】
楕円形断面を有する針筒（１）と、針ロッド（２）と、針ロッドプランジャー（３）と、針ベース（７）と、針（７５）とを備え、前記針ロッド（２）の先端部に針ロッドプランジャー（３）が設けられ、且つ針ロッド取っ手（２１）がロッド体（２２）を介して前記針ロッドプランジャー（３）と連結するように形成される注射器において、
針ロッド掛けフック（８）と、掛けフック収納室（６）と、針ベースプランジャー（４）をさらに有し、且つ前記針筒（１）の底部中央に前記針ベース（７）を取り付けるための取り付け孔（１３）を有し、針ベース（７）と後部がねじ山を介してそれと螺合する掛けフック収納室（６）とが針筒内の底部の針ベースプランジャー（４）を通して前記針筒（１）に取り付けられ、また、針ロッド（２）の先端部がねじ山の螺合によって前記針ロッド掛けフック（８）に連結され、針ロッド掛けフック（８）の先端のフック部が前記掛けフック収納室（６）の収納室内に差し込まれ、且つ針ロッド掛けフック（８）と掛けフック収納室（６）の間に自己破壊手段が配置され、前記針ロッドのロッド体（２２）には折り切れ易い手段（２３）を有し、針帽子（１６）と針筒（１）とが一体成形され、薄弱の破壊しやすい手段（１７）が設けられることを特徴とする自己破壊手段を有する注射器。
【請求項２】
前記ロッド体の横断面が“十”字形に形成され、当該ロッド体における折切れやすい手段（２３）がロッド体（２２）の中間部の“十”字形構造の四つの面における三角形の折りやすい槽であり、その面積がロッド体の横断面の面積の３０％−８０％であることを特徴とする請求項１に記載の自己破壊手段を有する注射器。
【請求項３】
前記針ロッドのロッド体（２２）の先端部に楕円形断面のプランジャーベース（２５）が設けられ、その上にはリング状の破壊しやすい手段（２６）と楕円形プランジャーを固定するための小円柱（２７）が設けられ、前記針ロッドプランジャー（３）には前記小円柱（２７）と対応しあう円孔（３１）が形成され、前記針ロッドプランジャーベース（２５）の先端部に前記針ロッド掛けフック（８）と連結するナット（２４）を有し、前記針ロッドプランジャー（３）には前記ナット（２４）と合せるための通孔（３２）が形成され、針ロッド掛けフック（８）の後部に前記ナット（２４）と合せるためのねじ山（８１）を有し、且つ針ロッド掛けフック（８）の中間部に前記針ロッドプランジャー（３）を緊密的に固着する突出円盤（８２）が設けられ、前記針ロッド掛けフック（８）の先端部に前記掛けフック収納室（６）と合せるための長方形引きフック（８５）が設けられ、当該長方形掛けフック（８５）には自己破壊手段の係止部材（８３）が設けられ、針ロッド掛けフック（８）の最先端には三角形の引きフック（８４）が形成されることを特徴とする請求項１に記載の自己破壊手段を有する注射器。
【請求項４】
前記針ロッド掛けフック（８）の一部が針ロッドプランジャー（３）より伸び出され、そのプランジャーより伸び出される部分の端部に長方形引きフック（８５）を備え、当該長方形引きフック（８５）が中心軸を中心として対称的に分布し、前記掛けフック収納室（６）の底面部に前記長方形引きフック（８５）と相似する長方形開口（６６）が形成され、当該長方形開口（６６）が引きフック収納室（６）内に所定の深度まで差し込まれる後、前記長方形引きフック（８５）に所定の角度を旋回させることを許容できる空室（６１）を有し、掛けフック収納室（６）の底面部に前記長方形引きフック（８５）における自己破壊係止部材（８３）と合わせられる矩形孔（６４）が形成され、前記空室（６１）の先端部が二枚の保護片（６２）によって縮径されつつ、前記針ロッド掛けフック（６）の最先端の三角形引きフック（８４）の通過を許容できるスリット（６５）が形成され、当該スリットも薬液の通路となり、前記掛けフック収納室（６）の先端部に針ベース（７）の後端部におけるねじ山（７１）と合わせられるナット（６３）を有し、針ベースプランジャー（４）には前記ナット（６３）と合わせられる通孔（４１）が形成されることを特徴とする請求項１ないし３のいずれか一項記載の自己破壊手段を有する注射器。
【請求項５】
前記針ベース（７）の中心部に通孔（７４）が形成され、その中間部に円錐形針係止部材（７３）が形成され、前記針筒（１）の底部の中央部における取り付け孔（１３）が前記針ベース（７）の円錐形針係止部材（７３）がやや力を受ける場合に刺し通すことが出来る円孔であり、針ベースプランジャー（４）が楕円柱形に形成され、その外径が針筒（１）の内径に合せて形成され、その中心部に針ベース孔（４１）が形成され、当該針ベース孔（４１）が緊密的に針ベース（７）を固着でき、引き戻す際に前記針ベースプランジャー（４）が脱落することを防止するために、針ベース（７）にはストッパー（７２）が形成され、針ベース（７）の先端部に針（７５）が固着されることを特徴とする請求項４に記載の自己破壊手段を有する注射器。
【請求項６】
前記針筒（１）の内壁部に針ベースプランジャー（４）の固着性を向上するためのリング状突起（１４）が形成され、針帽子（１６）の端部に針筒（１）の底部における取り付け孔（１３）に合わせられる開口を有しつつ、その内部に針（７５）を収納できる円形長孔が形成されることを特徴とする請求項５に記載の自己破壊手段を有する注射器。
【請求項７】
前記針ロッドのロッド体（２２’）の先端部に端部に対し横切るように配置される板体（２８’）を有し、当該板体（２８’）の“十”字形構造に対する対称しあう両辺部の縁部に２つの外部輪郭が前記針筒（１’）内の楕円形壁部と合せるための半楕円形のプランジャーベース（２５’）を有し、当該プランジャーベース（２５’）と“十”字形構造の二つの縁部と点接続構造を形成し、それらによってプランジャーベース（２５’）における破壊しやすい手段（２６’）を形成し、また、二つの半楕円形プランジャーベース（２５’）には二つの小柱（２７’）が形成され、針ロッドプランジャー（３’）の後端面に前記小柱（２７’）と対応しあう孔部（３１’）が形成されることを特徴とする請求項２に記載の自己破壊手段を有する注射器。
【請求項８】
前記針ロッド掛けフック（８’）の後端部の外円と針ロッドプランジャー（３’）の通孔（３２’）とが合わせられるように設定され、針ロッド掛けフック（８’）の中間部に針ロッドプランジャー（３’）を緊密的に固着するための突出円盤（８２’）が設けられ、針ロッド掛けフック（８）の先端部に掛けフック収納室（６）と合わせあう三角形引きフック（８４’）が形成され、突出円盤（８２’）の引きフック（８４’）に近接する前端面の外側に中心線に平行する三角柱状の自己破壊部材（８３’）が設けられ、また、前記掛けフック収納室（６’）が針ベースプランジャー（４’）内の楕円孔と合わせあう楕円状に形成され、その引きフックに近接する側の中間部に針ロッド掛けフック（８）の三角形引きフック（８４’）の軸方向投影形状と同じ形状に形成され、且つ三角形引きフック（８４’）の通過を許容でき、且つ薬液の通路ともなる長方形スリット（６５’）が形成され、掛けフック収納室（６）の先端部に針ベースと連接し、薬液の通路ともなり、且つ三角形引きフック（８４’）の旋回の空所となる内螺孔（６９’）が形成され、また、前記掛けフック収納室（６）の引きフックに近接する側にほぼ９０度の環柱状槽（６４’）が形成され、当該環柱状槽（６４’）の軸方向の投影が矢印状を呈し、且つ当該環柱状槽（６４’）の始発端から末端部までの幅が縮径状を呈し、且つ終端部において三角柱状の自己破壊部材（８３’）を納入できる三角柱状の頭部にて終止し、針ロッド掛けフックの三角柱状の自己破壊部材（８３’）が掛けフック収納室（６）の矢印状環柱状槽（６４’）と合わせあうことを特徴とする請求項７に記載の自己破壊手段を有する注射器。
【請求項９】
前記針ロッド掛けフック（８）の自己破壊部材（８３）は、針ロッド掛けフック（８）の前端部に二つの円錐形引きフック（８３”）を設けると共に、掛けフック収納室（６）の後端面部に二つの前記針ロッド掛けフック（８）の円錐形引きフック（８３”）と合せるための円錐孔（６４”）を形成し、且つ前記円錐孔（６４”）の外端部が円錐形引きフック（８３”）の最大外径より小さく形成される柱状孔であると共に、その内端面が前記円錐形引きフック（８３”）と同じ形状に形成される円錐形に形成されるように設定したことによって形成されることを特徴とする請求項８に記載の自己破壊手段を有する注射器。
【請求項１０】
断面楕円形の針筒（１−１）と、針ロッド（１−２）と、針ロッド掛けフック（１−８）と、掛けフック収納室（１−６）と、針ベース（１−７）とからなり、前記針ロッド（１−２）の一端に取っ手（１−２１）が設けられ、当該取っ手（１−２１）の一端には対称しあう保護翼（１−２９）を有しつつ、他端にプランジャー（１−３）を有し、取っ手（１−２１）がロッド体（１−２２）を介して針ロッドプランジャー（１−３）と連接するように設定される針ヘッドを交換可能な自己破壊式注射器であって、前記針筒（１−１）の底部中央部に針ベース（１−７）を取り付けるための取り付け孔（１−１３）を有し、針ベース（１−７）と後部がそれとねじ山によって連接される掛けフック収納室（１−６）とが針筒内の底部の針ベースプランジャー（１−４）を通って針筒（１−１）に取り付けられ、また、前記ロッド体（１−２２）には折り切れ易い構造（１−２３）を有し、また、前記ロッド体の横断面が“十”字形に形成され、前記折り切れ易い構造はロッド体（１−２２）の中段部における適所に折りやすい槽が形成され、針ロッドプランジャーベース（１−２５）の破壊手段（１−２６）に効果を生成させることに利するために、針ロッドには薄弱点（１−２０）が設けられ、針帽子（１−１６）と針筒（１−１）とが一体成形され、その間に薄弱破れやすい部（１−１７）が設けられ、針ベース（１−７）の中心部に通孔（１−７４）が形成され、針ベース（１−７）の中間部に円筒形針係止部材（１−７３）が設けられ、前記針筒（１−１）の底部中央における取り付け孔（１−１３）が針ベース（７）の円筒形針係止部材（７３）がやや力を受ける場合刺し通すことができる円孔であり、また、針ベースプランジャー（１−４）が楕円柱形に形成され、その外径と針筒（１−１）の内径と合わせられるように設定され、その中心に針ベース孔（１−４１）を有し、当該針ベース孔（１−４１）に針ベース（１−７）を緊密的に取り付けられ、引き戻す時に針ベースプランジャー（１−４）が脱落することを防止するために、針ベース（１−７）にはストッパー（１−７２）が設けられ、また、針ベース（１−７）の前端部に針を螺着するためのねじ山（１−７５）が形成されることを特徴とする針ヘッドを交換可能な自己破壊式注射器。
【請求項１１】
前記ロッド体の横断面が“十”字形構造に形成され、前記ロッド体における折切れやすい構造の孔部（１−２３）がロッド体（１−２２）の中段部の“十”字形構造の四つの面に形成され、前記孔部（１−２３）が三角形に形成され、その孔部の面積がロッド体の横断面の面積の３０％−８０％であり、針ロッドにおける切り欠き（１−２０）が針ロッド（１−２２）の“十”字形の四つの面におけるプランジャーベース（２５）を連接する箇所に三角形の切り欠き（１−２０）を設けてなるものであり、当該切り欠き（１−２０）とリング状の破壊しやすい手段（２６）の内円と連接しあうことを特徴とする請求項１０に記載の針ヘッドを交換可能な自己破壊式注射器。
【請求項１２】
前記針ロッドのロッド体（１−２２）の前端部に断面が楕円形に形成されるプランジャーベース（１−２５）が連結され、その上にはリング状の破壊しやすい手段（１−２６）と楕円形プランジャーを固定するための小円柱（１−２７）が設けられ、針ロッドプランジャー（１−３）には前記小円柱（１−２７）と対応しあう円孔（３１）が形成され、また、前記針ロッドプランジャーベース（１−２５）の前端部に針ロッド掛けフック（１−８）と連結しあうナット（１−２４）を有し、また、針ロッドプランジャー（１−３）にはナット（１−２４）と合せるための通孔（１−３２）を有し、また、針ロッド掛けフック（１−８）の後部にはナット（１−２４）と合せるためのねじ山（１−８１）を有し、針ロッド掛けフック（１−８）の中段部に針ロッドプランジャー（１−３）を緊密的に固着するための突出円盤（１−８２）が設けられ、針ロッド掛けフック（１−８）の前端部には掛けフック収納室（１−６）と合せるための長方形引きフック（１−８５）を備え、また、長方形引きフック（１−８５）には自己破壊部材（１−８３）を備え、また、針ロッド掛けフック（１−８）の最先端には三角形引きフック（１−８４）を有することを特徴とする請求項１０に記載の針ヘッド交換可能な自己破壊式注射器。
【請求項１３】
前記針ロッド掛けフック（１−８）の一部が針ロッドプランジャー（１−３）より通し出し、そのプランジャーより伸び出した部分の端部に長方形引きフック（１−８５）を有し、当該長方形引きフック（１−８５）が中心軸に対し対称分布するようになり、掛けフック収納室（１−６）の表面には前記長方形引きフック（１−８５）と相似する長方形スリット（１−６６）を有し、当該長方形スリット（１−６６）が引きフック収納室（１−６）に所定の深さまで進入後に長方形引きフック（１−８５）に所定の角度を旋回させることができる空所（１−６１）が形成され、掛けフック収納室（１−６）の表面に長方形引きフック（１−８５）における自己破壊部材（１−８３）と合せるための円孔（１−６４）を備え、空所（１−６１）の前端部が二枚の保護片（１−６２）によって針ロッド掛けフック（１−６）の最先端の三角形引きフック（１−８４）の通過を許容できる細長いスリット（１−６５）を形成するように縮径され、当該スリットも薬液の通路となり、掛けフック収納室（１−６）の前端部が針ベース（１−７）の後端部のねじ山（１−７１）と合せるためのナット（１−６３）であり、針ベースプランジャー（１−４）には前記ナット（１−６３）と合せるための通孔（１−４１）を有することを特徴とする請求項１０または１１または１２に記載の針ヘッド交換可能な自己破壊式注射器。
【請求項１４】
前記針筒（１−１）の断面が楕円形に形成され、且つ前記針筒の底部に取り付け孔（１−１３）を有し、また、針筒（１−１）の内壁に針ベースプランジャー（１−４）の固着性を強化するためのリング状突起（１−４）が形成され、また、針帽子（１−１６）と針筒（１−１）とが一体成形され、その間に薄弱破壊しやすい手段（１−１７）を有し、針帽子端部には針筒（１）の底部の取り付け孔（１３）と合せるための開口を有し、その内部に針を収納可能な円形長孔が形成されることを特徴とする請求項１０に記載の針ヘッド交換可能な自己破壊式注射器。
【請求項１５】
楕円形断面を有する針筒（２−１）と、針ロッド（２−２）と、針ベース（２−６７）と、針ベース係止部材（２−７）とを含み、針ロッドの先端部にプランジャー（２−３）を有し、針ロッド取っ手（２−２１）がロッド体（２−２２）を介してプランジャー（２−３）と連結されるように設定した自己破壊手段を有する静脈注射器において、針ロッド掛けフック（２−８）と掛けフック収納室（２−６）とを有し、且つ針筒（２−１）の底部中央に針ベース係止部材（２−７）を取り付けるための取り付け孔（２−１３）と針ベース（２−６７）の針筒底部縁部を取り付けるための針ベース取り付け孔（２−１２）とを有し、針ベース係止部材（２−７）と後部がそれとねじ山によって連結される掛けフック収納室（２−６）とが針ベースプランジャー（２−４）を介して針筒（２−１）に取り付けられ、針ベース（２−６７）が掛けフック収納室（２−６）に設けられると共に、それと一体成形され、針ベースプランジャー（２−４）の縁部の取り付け孔（２−４２）を介して針筒（２−１）に取り付けられ、また、前記ロッド体（２−２２）が横断面が“十”字形に形成される構造を有し、針ロッドには破壊しやすい構造（２−２３）が設けられ、針帽子（２−１６）と針筒（２−１）とが一体成形されると共に、薄弱破壊しやすい手段（２−１７）が設けられることを特徴とする自己破壊手段を有する静脈注射器。
【請求項１６】
前記針ロッドのロッド体（２−２２）の前端部に楕円形のプランジャーベース（２−２５）が連結され、その上にはリング状の破壊しやすい手段（２−２６）と楕円形断面のプランジャーを固着するための小円柱（２−２７）を有し、前記針ロッドのロッド体（２−２２）における折切れやすい構造（２−２３）が針ロッド（２−２２）とプランジャーベース（２−２５）の連接箇所に切り欠き（２−２３）を設けるものであり、当該切り欠き（２−２３）とリング状破壊しやすい手段（２−２６）の内円と連接し、また、針ロッドプランジャー（２−３）には前記小円柱（２−２７）と対応しあう円孔（２−３１）を有し、且つプランジャーベース（２−２５）の前端部に針ロッド掛けフック（２−８）と連結しあうためのナット（２−２４）を有し、針ロッドプランジャー（２−３）にはナット（２−２４）と合せるための通孔（２−３２）を有し、針ロッド掛けフック（２−８）の後部にナット（２−２４）と合せるためのねじ山（２−８１）を有し、針ロッド掛けフック（２−８）の中段部に針ロッドプランジャー（２−３）を緊密的に固着するための突出円盤（２−８２）を有し、針ロッド掛けフック（２−８）の前端部に掛けフック収納室（２−６）と合せるための長方形引きフック（２−８５）を有し、長方形引きフック（２−８５）には自己破壊係止部材（２−８３）を備え、針ロッド掛けフック（２−８）の最先端に三角形引きフック（２−８４）を有することを特徴とする請求項１５に記載の自己破壊手段を有する静脈注射器。
【請求項１７】
前記針ロッド掛けフック（２−８）の一部がプランジャー（２−３）より伸び出し、当該プランジャーより伸び出した部分の先端部に長方形引きフック（２−８５）を有し、当該長方形引きフック（２−８５）が中心線を基準として対称的に分布し、また、掛けフック収納室（２−６）の表面に前記長方形引きフック（２−８５）と相似する長方形開口（２−６６）を有し、当該孔部（２−６６）が掛けフック収納室（２−６）内の所定の深度に至ると、前記長方形引きフック（２−８５）に所定の角度を旋回させることができる空所（２−６１）が形成され、前記掛けフック収納室（２−６）の表面に前記長方形引きフック（２−８５）における自己破壊係止部材（２−８３）と合せるための矩形孔（２−６４）を有し、空所（２−６１）の前端部が二枚の保護片（２−６２）によって前記針ロッド掛けフック（２−６）の最先端の三角形引きフック（２−８４）に通過させることができる細長いスリット（２−６５）が形成されるように縮径され、前記引きフック収納室（２−６）と針ベース（２−６７）とが一体成形され、前記引きフック収納室（２−６）の前端部に針ベース係止部材（２−７）の後部のねじ山（２−７１）と合せるためのナット（２−６３）を有し、針ベースプランジャー（２−４）にはナット（２−６３）と合せるための針ベース係止部材通孔（２−４１）と、針ベース（２−６７）と合せるための針ベース通孔（２−４２）とを有することを特徴とする請求項１６に記載の自己破壊手段を有する静脈注射器。
【請求項１８】
前記針ベース係止部材（２−７）の後端部には中空状のねじ山（２−７１）を有し、その前端部がストッパー（２−７２）によって封止され、針ベース係止部材（２−７）の前端部に円錐形の針ベース係止部材子部材（２−７３）を有し、前記針筒（２−１）の底部中央の取り付け孔（２−１３）は、針ベース係止部材（２−７）の円錐形針ベース係止部材子部材（２−７３）がやや力を受けると刺し通すことができる円孔であり、針筒（２−１）の内部の底部の縁部の取り付け孔（２−１２）に針ベース（２−６７）を取り付けられ、針ベースプランジャー（２−４）が楕円柱状に形成され、その外径が針筒の内径と合せるように設定され、その中心には針ベース係止部材通孔（２−４１）を備え、当該針ベース係止部材通孔（２−４１）に針ベース係止部材（２−７）を緊密的に固着でき、針ベースプランジャー（２−４）の縁部に針ベース（２−６７）と合せるための針ベース通孔（２−４２）を有し、当該針ベース通孔（２−４２）に針ベース（２−６７）を緊密的に取り付けられ、針ベースプランジャー（２−４）が引き戻される際に脱落することを防止するために前記針ベース係止部材（２−７）にはストッパー（２−７２）が配置されることを特徴とする請求項１７に記載の自己破壊手段を有する静脈注射器。
【請求項１９】
前記針筒（２−１）が楕円形に形成され、当該針筒（２−１）の底部中央に前記針ベース係止部材子部材（２−７３）と合せるための針ベース係止部材子部材取り付け孔（２−１３）を有すると共に、その縁部に針ベース（２−６７）と合せるための針ベース取り付け孔（２−１２）を有し、また、針筒（２−１）の内壁部に針ベースプランジャー（２−４）の固着性を強化するためのリング状突起（２−１４）が形成され、また、針帽子（２−１６）と針筒（２−１）とが一体成形され、中間部に薄弱破壊しやすい手段（２−１７）を有し、その端部には針筒（２−１）の底部の円孔（２−１２）と合せるための開口を有し、その中に針を収納可能な円形長孔を有することを特徴とする請求項１８に記載の自己破壊手段を有する静脈注射器。
【請求項２０】
前記針ロッドのロッド体（２−２２’）の前端部に当該端部を横切る板体（２−２８’）が設けられ、当該板体（２−２８’）の“十”字形構造の二つの対向辺部に対称する辺部に二つの外輪郭が針筒（２−１’）の内楕円壁とぴったり合う半楕円形のプランジャーベース（２−２５’）が設けられ、当該プランジャーベース（２−２５’）と“十”字形構造の二つの辺部と点連接構造を形成し、それによってプランジャーベース（２−２５’）における破壊しやすい手段（２−２６’）を形成し、また、二つの半楕円形プランジャーベース同士（２−２５’）において二本の小柱同士（２−２７’）が形成され、且つ針ロッドプランジャー（２−２３’）の後端面において前記小柱同士（２−２７’）と対応しあう孔部（２−３１’）が形成されることを特徴とする請求項１５に記載の自己破壊手段を有する静脈注射器。
【請求項２１】
前記針ロッド（２−２’）の前端部と針ロッド掛けフック（２−８’）の末端部とがねじ山を介して螺合され、針ロッド掛けフック（２−８’）の後端部の外円と針ロッドプランジャー（２−３’）の通孔（２−３２’）とが合せられ、針ロッド掛けフック（２−８’）の中間部に針ロッドプランジャー（２−３’）を緊密的に固着するための突出円盤（２−８２’）が設けられ、針ロッド掛けフック（２−８’）の前端部に掛けフック収納室（２−６’）と合せるための三角形引きフック（２−８４’）を有し、また、突出円盤（２−８２’）の引きフック（２−８４’）の前端面に近接する外側に中心線に平行する三角柱状の自己破壊係止部材（２−８３’）が設けられ、また、前記掛けフック収納室（２−６’）が針ベースプランジャー（２−４’）の内楕円孔と合せるための楕円状に形成され、それが掛けフックに近接する側の中間部に針ロッド掛けフック（２−８’）の矢印状三角形引きフック（２−８４’）の軸方向投影形状と相同する、三角形引きフック（２−８４’）の通過を許容できつつ、薬液の通路ともなる長方形スリット（２−６５’）が形成され、また、掛けフック収納室（２−６）の前端部には針ベース（２−７）に連接し、薬液の通路と三角形引きフック（２−８４’）の旋回空所となる内螺孔（２−６９’）が形成され、また、前記掛けフック収納室（２−６）の引きフックに近接する側にほぼ９０度のリング柱状槽（２−６４’）が形成され、当該リング柱状槽（２−６４’）の軸方向投影形状が矢印状を呈し、且つ当該槽（２−６４’）が始発端から終止端までの槽幅が縮径状態を呈し、且つ終止端に三角柱状の自己破壊係止部材（２−８３’）を収納可能な三角柱状のヘッド部にて終止され、針ロッド掛けフックの三角柱状の自己破壊係止部材（２−８３’）が掛けフック収納室（２−６）の矢印状リング柱状槽（２−６４’）と合せあうことを特徴とする請求項２０に記載の自己破壊手段を有する静脈注射器。
【請求項２２】
断面楕円形の針筒（３−１）と、針ロッド（３−２）と、針ベース（３−７）と、針（３−５）とを備え、針ロッド（３−２）の一端に取っ手（３−２１）を有し、その両端部に対称しあう保護翼（３−２９）を備え、他端にプランジャー（３−３）を有し、取っ手（３−２１）がロッド体（３−２２）を介してプランジャー（３−３）と連接するように設定される注射器であって、前記針筒（３−１）の底部中央には針ベース（３−７）を取り付けるための取り付け孔（３−１３）を有し、針ベース（３−７）が針筒内底部の針ベースプランジャー（３−４）を介して針筒（３−１）に取り付けられ、前記ロッド体（３−２２）には折り切れ易い手段を有し、前記ロッド体の横断面が“十”字形構造を呈し、前記折り切れ易い手段はロッド体（３−２２）の中間部における孔部とロッド体の適所に形成される折りやすい槽とからなり、また、針（３−５）が針ベース（３−７）の前端部の連接構造を介して針ベース（３−７）と緊密的に合せられ、針帽子（３−６）と針筒（３−１）とが一体成形され、薄弱破壊しやすい手段（３−６１）を設けたことを特徴とする注射器。
【請求項２３】
前記ロッド体の横断面が“十”字形構造に形成され、且つ前記ロッド体における折折れやすい手段の孔部（３−２３）がロッド体（３−２２）の中間部の“十”字形構造の四つの面に形成され、所謂孔部（３−２３）が長方形孔であり、その孔部面積がロッド体の横断面の面積の３０％−８０％であることを特徴とする請求項２２に記載の注射器。
【請求項２４】
前記針ロッドのロッド体（３−２２）の底端部が円形のプランジャーベース（３−２５）と連接し、当該プランジャーベース（３−２５）の中心部に楕円形プランジャー（３−３）を保持するプランジャー軸（３−２８）を有し、当該プランジャー軸（３−２８）にはプランジャー（３−３）を固定するための突出円盤（３−２６）を備え、プランジャー軸（３−２８）の前端部に針ベース（３−７）と合せるための翼盤（３−２７）を有することを特徴とする請求項２２に記載の注射器。
【請求項２５】
前記針ベース（３−７）には注射器の針ヘッドを取り付けるためのリング状針係止部材（３−７２）を備え、その内部にねじ山を有し、当該針ベース（３−７）の中心部に通孔（３−７４）を有し、その中間部に一対の扇状ストッパー（３−７５）が形成され、前記針筒（３−１）の底部中央の取り付け孔は針ベース（３−７）のリング状針係止部材（３−７２）の通過を許容できる中心円孔（３−１３）と、円孔（３−１３）と連通しつつ扇状ストッパー（３−７５）の通過を許容できる中心軸に回って対称的に形成される一対の扇状孔（３−１４）とからなるものであり、前記針ベースプランジャー（３−４）が楕円形状を呈し、その外径が針筒の内径と合せられるように設定され、その中心部に針ベース孔を有し、当該針ベース孔の中間部に針ベース係止盤（７３−１）を緊密的に取り付けられる拡張部を有し、取り付ける際、針ベースプランジャー（３−４）の前端部に前パッド（３−９）を有することを特徴とする請求項２２ないし２４のいずれか一項に記載の注射器。
【請求項２６】
前記扇状ストッパー（３−７５）の円弧角度が３０度以下にすると共に、扇状孔（３−１４）の円弧角度を４５度以下にすることを特徴とする請求項２５に記載の注射器。
【請求項２７】
前記針ロッド（３−２）のプランジャー軸がプランジャー（３−３）より伸び出し、そのプランジャーより伸び出した部分のプランジャー軸の端部に一対の係止歯部（３−２７）を有し、それらの係止歯部（３−２７）が扇状に形成されると共に、中心軸に回って対称的に分布され、且つ前記針ベース（３−７）の係止盤（３−７１）の底面部に前記プランジャー端部の係止歯部（３−２７）と相似する一対の扇状孔部（３−７６）を有し、それらの孔部（３−７６）の係止盤（３−７１）内の所定の深さに至ると、その中心に回って前記係止歯部（３−２７）を収納可能な収納室（３−７３）が旋回拡張形成されており、且つ前記プランジャー軸（３−３）の底部に後パッド（３−８）と合せるための凹槽（３−２４）が形成されていることを特徴とする請求項２５に記載の注射器。
【請求項２８】
前記扇状係止歯部（３−２７）の円弧角度が３０度以下になると共に、前記扇状孔部（３−７６）の円弧角度が４５度以下になり、且つ前記収納室（３−７３）の円弧角度が９０度以下になるように設定することを特徴とする請求項２７に記載の注射器。
【請求項２９】
前記針筒が楕円形に形成され、且つ前記針筒の底部に一対の扇状孔（３−１４）を有し、その同一方向の隣り合う箇所の外壁部には凹み部（３−１２）を有し、当該凹み部（３−１２）が四分の一の楕円形に形成されることを特徴とする請求項２５に記載の注射器。
【請求項３０】
前記針帽子（３−６）と前記針筒（３−１）とが一体成形され、その中間部に薄弱破壊しやすい手段（３−６１）を有し、その端部に針筒（３−１）の底部円孔（３−１３）と合せるための開口を有し、その中に針（３−５）を収納可能な円形長孔を有することを特徴とする請求項２２に記載の注射器。
【発明の詳細な説明】
【０００１】
（発明の属する技術分野）
本発明は、医療器具に係わり、特に自己破壊手段を有する注射器に関するものである。
【０００２】
（発明の背景）
現有の注射器は、大部分が針筒と針ロッドと注射針とからなる。針筒が円筒形に形成され、針が着脱可能に前記針筒の底部の外部へ伸び出した針ヘッドに取り付けられる。針ロッドの一端にプランジャーを有し、それによって筒内の注射液をチューブ・ヘッドと針とを介して筋肉内に注射する。針ロッドの他端部に取っ手を有し、また、針筒の端部に外方へ拡張する手持ち部を有し、注射時、取っ手と手持ち部によって針筒内の薬液を筋肉体内に注射する。このような注射器の場合では、使用される際に、次のような欠陥を有する。
【０００３】
１．医療行為は病気にかかることを避け、且つ病気を治療するための厳しい仕事であり、病気の拡散を予防する仕事でもあり、特にウイルスの直接的に接触することによる伝染のことが無視してはいけないことである。しかしながら、社会において不法者はよく自分の個人的な利益を向上するために既に使用されたことのある注射器をリサイクルまたは収集し、二度目の包装を実施後に再びマーケットに出すようにする。現有の注射器には強引性の破壊手段を有しないので、不法者は活躍するチャンスを有するようになっている。
【０００４】
２．現有の注射器の場合では、その使用後にその針が注射器の針筒に保持されるため、露出した針が容易に他人を刺したりするようになる。特に医療人員や後置処理人員などの体に刺されて伝染を起こることがしばしばある。
【０００５】
（発明の目的）
本発明は、現有の注射器の存在する欠陥に鑑みて、使用過程中に注射器のそれぞれの部材を破壊することによって二度目の使用のことをなくし、且つ針を縮みさせられ、病気の伝播を効果的に防止でき、使用に便利で信頼性が高い新規の注射器を提供することをその主要な目的とする。
【０００６】
（発明の開示）
本発明の前記の目的は次のような注射器構造によって実現されるものであり、つまり、注射器には、断面楕円形の針筒と、針ロッドと、針ロッド掛けフックと、掛けフック収納室と、針ベースと、針とを有し、前記針ロッドの一端に取っ手を有し、且つ取っ手の一端に対称しあう保護翼を有し、且つその他端部にプランジャーを有する。前記取っ手がロッド体を介して針ロッドプランジャーと連接され、前記針ロッドの先端部が針ロッドプランジャーの中心孔を通しつつねじ山を介して針ロッド掛けフックに螺合され、針筒の底部中央に針ベースを取り付けるための取り付け孔を有し、針ベースと、それと螺合結合される掛けフック収納室とが針筒の内底部の針ベースプランジャーを介して針筒に取り付けられ、前記針筒と針帽子とが一体成形され、その間には折り切れやすい構造と破壊しやすい構造を有する。針と針ベースとが一体成形される。前記ロッド体の横断面が“十”字形構造に形成され、ロッド体における折切れやすい構造は、ロッド体の中間部の“十”字形構造の四つの面における孔部やロッド体の適所に形成される折り切れ槽などからなるものであり、ロッド体における破壊しやすい手段は楕円形のプランジャーベースに薄弱リングを形成することによって実践されるものである。
【０００７】
前記の目的を図るために、本発明は下記のような他の方案を提案する。つまり、注射器には、断面楕円形の針筒と針ロッドと針ロッド掛けフックと掛けフック収納室と針ベースと針ベース係止部材とを有しつつ、前記針ロッドの一端に取っ手を有し、当該取っ手の一端に対称しあう保護翼を有し、他端にプランジャーを有する。取っ手はロッド体を介してプランジャーと連接され、針筒の底部中央に針ベースを取り付けるための取り付け孔を有し、針ベースと、それとねじ山を介して螺合結合される掛けフック収納室とが針筒内底部の針ベースプランジャーを介して針筒に取り付けられ、前記ロッド体には折り切れやすい手段と破壊しやすい手段とを有する。針筒と針帽子とが一体成形される。前記ロッド体の横断面が“十”字形構造に形成され、ロッド体における折切れやすい手段はロッド体の中間部の“十”字形構造の四つの面における孔部またはロッド体における適所に形成される折り切れ槽からなるものである。ロッド体における破壊しやすい手段は楕円形プランジャーベースに薄弱リングを形成することによって実践されるものである。破壊しやすい手段が容易に効果を生成させるために、針ロッドと針ロッドプランジャーベースの連接箇所に切り欠きを形成し、当該切り欠きとリング状は介しやすい手段の内円と連接しあうように設定される。
【０００８】
また、前記の目的を図るために、本発明はさらに下記のような方案を提案する。つまり、注射器には、断面楕円形の針筒と、針ロッドと、針ロッド掛けフックと、掛けフック収納室と、針ベースと、針ベース係止部材とを有し、前記針ロッドの一端に取っ手を有し、当該取っ手の一端部に対称しあう保護翼を有し、その他端部にプランジャーを有し、取っ手がロッド体を介してプランジャーと連接し、針筒の底部中央に針ベース係止部材を取り付けるための取り付け孔を有し、針ベース係止部材と、後部がそれとねじ山による螺合によって結合される掛けフック収納室とは針ベースプランジャーを介して針筒に取り付けられ、針ベースと掛けフック収納室とがねじ山を介して一体になるように連結され、針ベースプランジャーの取り付けることによって針筒に取り付けられ、針帽子と針ベースとが一体成形され、前記ロッド体には破壊しやすい手段を有し、前記ロッド体の横断面が“十”字形構造に形成され、ロッド体における破壊しやすい手段は楕円形プランジャーベースに薄弱リングを形成することによって実践されるものであり、針ロッドと針ロッドプランジャーベースとの連結箇所に切り欠きが形成され、当該切り欠きはリング状破壊しやすい手段の内円と連接するように設定される。
【０００９】
また、前記の目的を達成するために、本発明はさらに下記のような方案を提案する。つまり、注射器には、断面楕円形の針筒と、針ロッドと、針ベースと、針とを含み、前記針ロッドの一端に取っ手を有し、当該取っ手の両端部に対称しあう保護翼を有し、その他端にプランジャーを有し、取っ手がロッド体を介してプランジャーと連接し、針筒の底部中央に針ベースを取り付けるための取り付け孔を有し、針ベースが針筒内の底部の針ベースプランジャーを介して針筒に取り付けられ、針ロッドには折り切れやすい手段を有し、前記針ロッドの横断面が“十”字形に形成され、ロッド体における折切れやすい手段はロッド体の中間部の“十”字形構造の四つの面における孔部、またはロッド体の適所に折り切れ槽を形成することによって実践されるものであり、針は針ベースの前端の連接構造を介して針ベースと緊密的に合せられ、針帽子と針筒とが一体成形され、その間に薄弱破壊しやすい手段を有する。
【００１０】
（発明の実施の形態）
次に添付図面を参照しながら本発明の実施の形態を詳細に説明する。
【００１１】
図１と図２に示すように、本発明による注射器には、針筒１と、針ロッド２と、針ロッド掛けフック８と、掛けフック収納室６と、針ベース７と、針７５とを有し、針ロッド２の一端に取っ手２１を有し、取っ手２１の両端部に対称しあう保護翼２９を備え、その他端部に針ロッドプランジャー３を備え、取っ手２１がロッド体２２を介して針ロッドプランジャー３と連接し、針ロッドプランジャーの前端部に掛けフック円形ストッパーを収納するための凹槽を有し、針筒１の底部中央に針ベース７を取り付けるための取り付け孔１３を有し、その縁部が円錐リング状に形成され、針ベース７が針筒内底部の針ベースプランジャー４を介して針筒１に取り付けられる。また、針帽子１６と針筒１とが一体成形されると共に、薄弱破壊しやすい手段１７を備え、使用前にそれを破壊し、一回だけの使用の目的を図る。ロッド体２２には折り切れ易い構造を有し、当該折り切れ易い構造はロッド体の中間部の適所に形成される三角形折りやすい槽よりなり、注射器が使用し終わる場合にそれを折り切れることに利し、破壊性保護の目的を図る。
【００１２】
また、図３ａと図３ｂと図３ｃと図３ｄに示すように、前記ロッド体の横断面が“十”字形構造であり、当該ロッド体における折切れやすい構造はロッド体２２の中間部の“十”字形構造の四つの面における三角形きり欠きによって形成され、場合によって、他の折り切れ易い構造を採用してもよいことが言うまでもなく、例えば、その折りきれ易い構造としてロッド体の適所に他の形状の折り切れやすい切り欠きなどを形成してもよい。
【００１３】
また、図３ｂに示すように、前記ロッド体のプランジャーベース２５における破壊しやすい手段として楕円形のプランジャーベースに薄弱リング２６を形成することによって実践されるものである、
また、図３ａと図３ｂに示すように、前記ロッド体における小円柱２７が針ロッドプランジャー３と針ロッド２の位置関係を制限するためのものである。
【００１４】
また、図２ａと図２ｂと図２ｃに示すように、針筒１の横断面が楕円形に形成され、その端部に外方へ張り出す手持ち部１１を有する。針筒１の内壁部の前端部に針ベースプランジャー４の固着性を強化するためのリング状突起１４を有する。針帽子１６と針筒１とが一体成形され、その間に薄弱破壊しやすい手段１７が配置される。
【００１５】
図１と図３と図４に示すように、針ロッド２のプランジャーベース２５の前端部に針ロッド掛けフック８と連接するナット２４を有する。針ロッド掛けフック８の後部にナット２４と合せるためのねじ山８１を有する。針ロッド掛けフック８の中間部にプランジャー３を固着するための突出円盤８２を有する。針ロッド掛けフック８の前端部に掛けフック収納室６と合せるための長方形引きフック８５を有する。長方形引きフック８５には自己破壊機能を有する三角柱状の係止部材８３を備える。針ロッド掛けフック８の最先端に三角形引きフック８４を形成している。
【００１６】
図５に示すように、針ロッドプランジャー３には針ロッド２の前端部のナット２４を受け入れることができる通孔３２を有し、針ロッドプランジャー３が楕円柱状に形成される。針ロッドプランジャー３には針ロッドプランジャーベース２５における小円柱２７と合せるための円孔３１を有する。それと針ロッドプランジャー３とがすべて熱可塑性弾性材料によって製造されるものであり、プランジャー通孔３２の直径の対応しあう部位がナット２４の直径よりやや小さく形成され、外力を加えることによって係入でき、針ロッドプランジャー３の取り付け性質の安定さを確保できる。
【００１７】
図７に示すように、掛けフック収納室６の底面部に長方形引きフック８５と相似する長方形スリット６６を有し、長方形スリット６６が引きフック収納室６内へ所定の深度に至ると長方形引きフック８５が所定の角度を旋回できるぐらいの空所６１を形成する。掛けフック収納室６の底面部に長方形引きフック８５における自己破壊係止部材８３と合せるための矩形孔６４が形成される。空所６１の前端部が二枚の保護片６２によって針ロッド掛けフック６の最先端の三角形引きフック８４の通過を許容できる細長いスリット６５が縮径形成される。前記スリットも薬液の通路となれる。掛けフック収納室６の前端部が針ベース７の後端部のねじ山７１と合せるためのナット６３である。
【００１８】
図７に示すように、掛けフック収納室６の前端部のナット６３が中空状の円形通孔６９に形成され、後部が二枚の保護片同士６２によって針ロッド掛けフック６の最先端の三角形引きフック８４の通過を許容できる細長いスリット６５を縮径形成される。通孔６９は薬液の通路となると共に、三角形引きフック８４の旋回するための空所となる。
【００１９】
図８に示すように、針ベース７の後端部のねじ山７１が掛けフック収納室６の前端部のナット６３と合せるためのものであり、前記ねじ山を有する後端部が中空状の円形通孔である。
【００２０】
図６と図８に示すように、針ベース７の中心部に通孔７４を備え、その中間部に円錐形針係止部材７３を有し、また、図１と図２に示すように、針筒１の底部中央の取り付け孔１３は針ベース７の円錐形針係止部材７３がやや力を受けると刺し通すことができる円孔である。針ベースプランジャー４は楕円柱状に形成され、その外径と針筒１の内径と合せられるように形成され、その中心部に針ベース孔部４１を有し、針ベース孔部４１に針ベース７を緊密的に固着できる。針ベースプランジャー４が引き戻される際に脱落することを防止するために、針ベース７にはストッパー７２が配置される。針ベース７の前端部がその上に取り付けられる針７５を固着するものである。
【００２１】
また、図１と図２に示すように、針帽子１６と針筒１とが一体成形されるものであり、その中間部に薄弱破壊しやすい手段１７を有し、その端部に針筒１の底部の円孔１３と合せるための開口を有し、その内部に針７５を収納するための円形長孔を有する。
【００２２】
また、図１に戻し、本発明が取り付ける時、まず針ベースプランジャー４を掛けフック収納室６のナット６３につけ、それから針ベース７を旋回しつけ、それらの三者を一体にならせる。針ベースプランジャー４が熱可塑性弾性材料からなるものであるので、その合せる状況が緊密的合せである。それから取り付け完成後の部分を針筒１の後部より針筒の前部へ差し込み、針ベース７の円錐形針係止部材７３を針筒底部の取り付け孔１３から針筒１の底面部より伸び出させると共に、緊密的に係止させ、また、プランジャー３を針ロッド２の前端部のナット２４につけさせ、それから針ロッド掛けフック８を旋回しつけ、同様に三者に一体にならせ、また、それらを取り付け終了後の針筒部分につければよい。使用時、まず針帽子１６と針筒１とを分離し、それから外方へ針ロッドを引き出して薬液を吸い込み、それから注射をし、その使用方式と現有の注射器とが同じである。注射終了後に、楕円形の位置決め機能により、針ロッドの長方形引きフック８５と掛けフック収納室６の長方形開口６６とが丁度合せるようになるため、引きフック８５が掛けフック収納室６の空所６１に入り、針ロッド掛けフック８の最先端の三角形引きフック８４が掛けフック収納室６の保護片６２からなるスリット６５にいり、それから針ロッド２を旋回し、この際、針ロッドの薄弱リング２６も破壊され、且つ針ロッド掛けフックも所定の角度旋回されて長方形引きフック８５の自己破壊係止部材８３を掛けフック収納室の底面部の矩形孔６４に入らせ、自己破壊構造を形成する。この際、三角形引きフック８４とスリット６５とが所定の角度を成す。それから外方へ針ロッド２を引き出し、この時、針ロッド２と針ロッド掛けフック８と針ベースプランジャー４と掛けフック収納室６と針ベース７と針７５とが一緒に針筒１の内部に引き込まれ、また、力を入れて針ロッド２を折り切れ、または針ロッドを逆転すると、針ロッド２と針ロッド掛けフック８との間の連接ネジを釈放でき、針ロッド２を引き出し可能にし、その余った部分が針筒内に留められ、破壊性保護の目的を図れる。
【００２３】
図９ないし図１４に示すように、それらの図において本発明の注射器の他の実施の形態を掲げた。そのうち、図９は針ロッド２’の構造を示し、針ロッド２’の一端に取っ手２１’を有し、取っ手の両端部に対称しあう保護翼同士２９’を有し、その他端部に横切るように設定される円形板２８’を備え、円形板２８’外の“十”字形構造の対称しあう二つの辺部に二つの半楕円形のプランジャーベース２５’が設けられ、それらの二つのプランジャーベース２５’の外輪郭が針筒の楕円形内壁とぴったりあう楕円形状に形成され、プランジャーベース２５’と“十”字形構造の二つの辺部とが点連接構造を形成し、それらによってプランジャーベース２５’における破壊しやすい手段２６’を形成する。針ロッドを旋回させると、プランジャーベースの二つの連接点が破壊され、それらによって自己破壊の目的を図る。針ロッドの円形板２８’の前端中心に針ロッド掛けフックと連接しあうネジ２４’を有し、二つの半楕円形プランジャーベース２５’にはそれぞれ対称しあうように配置される二つの小円柱同士２７’を有し、小円柱同士２７’の位置と針ロッドプランジャー３’の後端面における円孔３１’の位置と対応しあい、小円柱同士２７’が針ロッドプランジャー３’と針ロッド２’の位置関係を制限するためのものである。
【００２４】
また、図９ａないし図９ｅに示すように、前記ロッド体の横断面が“十”字形構造に形成され、当該ロッド体における折切れやすい構造はロッド体２２’の中段部の“じゅう”字形構造の四つの面に三角形の切り欠きを形成してなるものであり、場合によって他の折り切れ易い構造を採用してもよく、例えば折り切れ易い構造としてロッド体の適所に他の形状の折り切れ切り欠きなどを形成させてもよい。
【００２５】
図１０に示すように、当該図において針ロッド掛けフック８’の他の種の構造を開示し、そのうち、図１０ａは主体図であり、図１０ｂは左側面図であり、図１０ｃは右側面図であり、図１０ｄは底面図である。当該針ロッド掛けフックの末端部に針ロッドと連接するための雌ねじ８１’が設けられ、針ロッド掛けフック８’の中段部に針ロッドプランジャー３’を緊密的に固着するための突出円盤８２’が設けられ、針ロッド掛けフック８’の前端部に掛けフック収納室６’と合せるための矢印状三角形引きフック８４’を有し、突出円盤８２’の引きフック８４’に近接する前端面の外側に中心線に平行する三角柱状の自己破壊係止部材子部材８３’を有する。
【００２６】
図１１に示すように、針ロッドプランジャーの構造を開示し、針ロッドプランジャー３’には針ロッド掛けフック８’の後端部の外円が差し込むことができる通孔３２’を有しつつ、針ロッドプランジャー３’が楕円柱状に形成される。針ロッドプランジャー３’には半円形針ロッドプランジャーベース２５’における小円柱２７’と合せるための孔部３１’を有する。それと針ロッドプランジャー３’とがすべて熱可塑性弾性材料によって製造されるものであってもよく、プランジャー通孔３２’の直径の対応しあう部分が針ロッド掛けフック８’の後端部外円の直径よりやや小さく形成され、外力によって結合させることができ、それと針ロッドプランジャー３’と緊密的に取り付けることを確保できる。
【００２７】
また、図１３は前記針ロッド掛けフックと合せるための掛けフック収納室の構造を示し、そのうち、図１３ａは主体図であり、図１３ｂは左側面図であり、図１３ｃは右側面図であり、図１３ｄは平面図であり、図１３ｅはＡ−Ａ断面図である。掛けフック収納室６’が楕円状に形成され、その引きフックに近接する側の中段部に矢印状三角形引きフック８４’の軸方向投影形状と相同の形状に形成される長方形開口６５’を有し、長方形開口６５’の長辺部が丁度三角形引きフック８４’の通過を許容でき、且つその短辺部が三角形引きフック８４’のフック部を係止でき、戻させないように作用でき、長方形開口６５’が三角形引きフック８４’の通過を許容でき、且つ薬液の通路ともなる。掛けフック収納室６’の前端部に針ベース７’の後端部のねじ山７１’と合せるためのナット６３’を有する。ナット６３’の雌ねじ６９’が薬液の通路となるほか、三角形引きフック８４’の旋回を許容できる空所ともなる。掛けフック収納室６’の引きフックに近接する側に水平方向から垂直方向までのほぼ１／４円のリング柱状矢印槽６４’が形成され、リング柱状槽６４’の軸方向投影の形状が時計方向に指す矢印状を呈し、且つ始発点から終止点までその槽幅が縮減されるようになると共に、その終止点において三角形状の矢印部によって終結する。図１０に示すように、針ロッド掛けフックの三角柱状の自己破壊係止部材子部材８３’が掛けフック収納室６の矢印状リング柱状槽６４’と合せられる。針ロッド掛けフックを旋回する場合、三角柱状の自己破壊係止部材子部材８３’が矢印状リング柱状槽６４’の始発端より減衰状の矢印槽の矢印ヘッド部に滑り込んで且つ当該ヘッド部に係止され、後戻りできなくなり、それによって自己破壊の目的を図る。
【００２８】
図１４に示すように、図において針ベース構造を示し、針ベース７’の後端部の雄ねじ７１’が掛けフック収納室６’の前端部のナット６３’と合せられ、前記ねじ山のつける後端部が中空状の円錐形通孔に形成される。針ベース７’の中心部に通孔７４’を有し、その中段部に円錐形針係止部材７３’を有する。また、図１２に示すように、針ベースプランジャー４’が楕円柱状に形成されつつ、その外径と針筒１’の内径と合せられ、その中心部に針ベース孔部４１’を有し、針ベース孔部４１’に針ベース７’を緊密的に取り付けられる。針ベースプランジャー４’が引き戻される際に脱落することを防止するために、針ベース７’にはストッパー７２’が形成される。
【００２９】
本実施の形態は取り付ける時、まず針ベース図１４参照を針ベースプランジャー図１２参照と掛けフック収納室図１３参照をねじ山によって緊密的に針筒螺着後に１’図１５参照の後端部の開口より針筒の底部に差込、針ベースと針筒の中央取り付け孔とを合せさせ、針ベースの前端部に製造時にステンレス針体をまず取り付けてもよい予め針ベースに合せて一斉に製造する。それから針ロッド図９参照と針ロッドプランジャー図１１参照とを取り付け終了後に、針ロッドの小円柱と針ロッドプランジャーの小円柱孔とを対応合せさせ、また、掛けフック図１０参照をねじ山によって緊密的に結合後に針筒の後端部開口より差し込んで掛けフック収納室の部分と緊密的に接触するまで取り付ける。使用時、使用前にまず針筒と針帽子を離れさせ破壊性永久分離に属する、薬液を吸い込み、薬液を注射し、注射終了後に掛けフックの三角柱８３’が丁度緊密的に掛けフック収納室の“矢印状”槽部６４’に接され、掛けフック８’における三角形引きフック８４’が丁度掛けフック収納室における矩形孔６５’を通過する。針ロッドを時計方向へ９０度旋回するとこの時、針ロッドにおける破壊しやすい点が破壊される、掛けフックにおける三角柱状の引きフック８４’が丁度掛けフック収納室６’の矩形孔６５’の両辺部長辺部を掛け、その同時に、掛けフックにおける三角柱８３’が掛けフック収納室６’を通し、軌跡が減衰する矢印槽６４’に沿って強引に矢印ヘッドの端部に入り、三角柱より取り戻せなくなり、それにつれて、掛けフックにおける三角柱引きフック８４’も旋回移動できなくなり、自己破壊作用を発揮する。針ロッドを引き戻しつつ、針ヘッドと針ベースと針プランジャーと掛けフック収納室とを一斉に針筒内に引っ込むことによって針筒が作業者とリサイクルメンバーとを傷まないように確保できる。針ロッドを引き戻してから、針ロッドを逆時計方向へ旋回することによって針ロッドと掛けフックとの連接するネジを釈放させると、医療廃棄物の量を減少できるようになる。
【００３０】
図１６と図１７に示すように、図においてそれぞれ前記の実施の形態の他の種の相互に合わせられる針ロッド掛けフック８”と掛けフック収納室６”の構造を掲げ、図１６に示すように、前記針ロッド掛けフックの末端部に針ロッドと連接する雌ねじ８１”を有し、針ロッド掛けフック８”の中段部に針ロッドプランジャー３を緊密的に固着するための突出円盤８２”を有し、針ロッド掛けフック８”の前端部に二つの掛けフック収納室６”とあわせるための円錐形引きフック８３”を有する。図１７に示すように、掛けフック収納室６”が楕円形に形成され、その引きフックに近接する側の中段部に孔部６５”を有し、孔部６５”が薬液の通路となり、その側面部に二つの針ロッド掛けフック８”の円錐形引きフック８３”と合わせるための円錐孔６４”が形成され、円錐孔６４”の外端部に円錐形引きフック８３”の最大の外径より小さく形成される柱状孔を有し、その内縁部が円錐形引きフック８３”の形状と相同の形状に形成される円錐状孔を有する。薬液を注射し終わると、掛けフックの円錐状引きフック８３”が丁度円錐孔６４”に差し込まれ、引き戻せなくなってしまい、それによって自己破壊の目的を図る。
【００３１】
この種の針ロッド掛けフック８”と掛けフック収納室６”を採用する場合、取り付ける時に注意すべきことは、針ロッド図９参照と針ロッドプランジャー図１１参照とを取り付け終わると、針ロッドの小円柱と針ロッドプランジャーの小円柱孔とが対応合わせられ、それから針ロッド掛けフック８”図１６参照とねじ山の螺合によって緊密的に結合してから、針筒の後端部の開口より差込、掛けフック収納室６”の一部の間隙と接触するまで差し込むようにし、強引に掛けフック収納室の小円孔に押し入れることをしてはいけなく、三角錐自己破壊手段を起動することを防止する必要があり、さもなければ注射器の浪費を招く場合がある。使用時、注射完成後に、掛けフックの三角錐形引きフック８３”が丁度強引に緊密的に掛けフック収納室の三角推計孔部６４”に差し込まれ、強引の係止を実行することによって自己破壊機能を実践する。
【００３２】
図１−１に示すように、本発明の注射器には、針筒１−１と、針ロッド１−２と、針ロッド掛けフック１−８と、掛けフック収納室１−６と、針ベース１−７とを含み、針ロッド１−２の一端部に取っ手１−２１を有し、取っ手１−２１には対称しあう保護翼同士１−２９を有し、当該針ロッドの他端部に針ロッドプランジャー１−３を備え、取っ手１−２１がロッド体１−２２を介して針ロッドプランジャー１−３を連接し、針筒１−１の底部中央に針ベース１−７を取り付けるための取り付け孔１−１３を有し、針ベース１−７が針ベースプランジャー１−４を介して針筒１−１に取り付けられる。針帽子１−１６と針筒１−１とが一体成形されると共に、薄弱破壊しやすい手段１−１７を有し、使用前にそれを破壊し、一回だけ使用の目的を図る。ロッド体１−２２には折り切れ易い構造と破壊しやすい構造とを有し、前記折り切れ易い構造はロッド体の中段部の開口とロッド体の適所における三角形の折りやすい槽からなり、注射器が使用し終わる場合にそれを折り切れ、破壊性保護の目的を図る。
【００３３】
また、図１−３ａと図１−３ｃと図１−３ｄに示すように、前記ロッド体の横断面が“十”字形構造に形成され、当該ロッド体における折切れやすい構造式の開口１−２３がロッド体１−２２の中段部の“十”字形構造の四つの面に位置するものであり、場合によって他の折り切れ易い構造を採用してもよく、例えば、折り切れ易い構造としてロッド体の適所に他の構造の折り切れやすい切り欠きなどを形成してもよい。
【００３４】
前記の開口１−２３が三角形に形成され、その面積がロッド体の横断面の面積の３０％−８０％ぐらいである。
【００３５】
また、図１−３ｂに示すように、前記ロッド体のプランジャーベース１−２５における破壊しやすい手段は楕円形プランジャーベースに薄弱リング１−２６を形成することによって実践されるものである。針ロッドにおける切り欠き１−２０は針ロッド１−２２の“十”字形の四つの面におけるプランジャーベース１−２５との連接箇所に三角形切り欠き１−２０を設けてなるものであり、切り欠き１−２０とリング状破壊しやすい手段１−２６の内円と連接される。切り欠き１−２０としていずれの形状、たとえば長方形に形成されてもよい。
【００３６】
また、図１−３ａと図１−３ｂに示すように、前記ロッド体における小円柱１−２７が針ロッドプランジャー１−３と針ロッド１−２との位置関係を制限するためのものである。
【００３７】
また、図１−２ａと図１−２ｂと図１−２ｃに示すように、針筒１−１の断面が楕円形に形成され、その端部には外方へ張り出す手持ち部１−１１を有する。針筒１−１の内壁部の前部に針ベースプランジャー１−４の緊密的固着性を強化するためのリング状突起１−１４を有する。針帽子１−１６と針筒１−１とが一体成形され、その間に薄弱破壊しやすい手段１−１７が配置される。
【００３８】
また、図１−１と図１−３と図１−４に示すように、針ロッド１−２のプランジャーベース１−２５の前端部に針ロッド掛けフック１−８と連接しあうナット１−２４を有する。針ロッド掛けフック１−８の後部にナット１−２４と合わせるためのねじ山１−８１を有する。針ロッド掛けフック１−８の中段部にプランジャー１−３を緊密的に固着するための突出円盤１−８２を有する。針ロッド掛けフック１−８の前端部に掛けフック収納室１−６と合わせるための長方形引きフック１−８５を有する。長方形引きフック１−８５には自己破壊構造を備える係止部材１−８３を有する。針ロッド掛けフック１−８の最先端に三角形引きフック１−８４を有する。
【００３９】
図１−５に示すように、針ロッドプランジャー１−３には針ロッド１−２の前端部のナット１−２４を受け入れられる通孔１−３２を有し、針ロッドプランジャー１−３が楕円柱形に形成される。針ロッドプランジャー１−３には針ロッドプランジャーベース１−２５における小円柱１−２７と合わせるための円孔１−３１を有する。針ロッドプランジャー１−３として熱可塑性材料からなるものを採用でき、プランジャー通孔１−３２の対応しあう部位の直径がナット１−２４の直径よりやや小さく形成され、外力を加えることによって取り付けられ、針ロッド１−２と緊密的に固着することを確保できる。
【００４０】
図１−７に示すように、掛けフック収納室１−６の表面に長方形引きフック１−８５と相似する形状を有する長方形開口１−６６を有し、長方形開口１−６６が引きフック収納室１−６の所定の深度に至ると、長方形引きフック１−８５に所定の角度を旋回させることができる空所１−６１を形成する。掛けフック収納室１−６の表面に長方形引きフック１−８５における自己破壊係止部材１−８３と合わせるための孔部１−６４を有する。空所１−６１の前端部が二枚の保護片同士１−６２により針ロッド掛けフック１−６の最先端の三角形引きフック１−８４に通過させることを許容できる細長いスリット１−６５を形成するように縮径される。当該スリットも薬液の通路となる。掛けフック収納室１−６の前端部に針ベース１−７の後端部のねじ山１−７１と合わせるためのナット１−６３を有する。
【００４１】
図１−７に示すように、掛けフック収納室１−６の前端部のナット１−６３は、中空状の円形通孔１−６９を有し、後部が二枚の保護片同士１−６２に針ロッド掛けフック１−６の最先端の三角形引きフック１−８４に通過させることを許容できる細長いスリット１−６５を形成するように縮径される。通孔１−６９は薬液の通路になりつつ、三角形引きフック１−８４の旋回を許容するための空所ともなる。
【００４２】
また、図１−８に示すように、針ベース１−７の後端部のねじ山１−７１が掛けフック収納室１−６の前端部のナット１−６３とあわせるものであり、そのねじ山部が中空状の円形通孔となっている。
【００４３】
図１−６と図１−８に示すように、針ベース１−７の中心部に通孔１−７４を有し、針ベースの中段部に円形針係止部材１−７３を有し、また、図１−１と図１−２に示すように、針筒１−１の底部中央の取り付け孔１−１３が針ベース１−７の円形針係止部材１−７３のやや力を受けると刺し通されることができる円孔である。針ベースプランジャー１−４が楕円柱状に形成され、その外径と針筒１−１の内径と合わせられ、その中心部に針ベース孔部１−４１を有し、針ベース孔部１−４１に針ベース１−７を緊密的に取り付けられる。針ベースプランジャー１−４が引き戻される際に脱落することを防止するために、針ベース１−７にはストッパー１−７２を有する。針ベース１−７の前端部に針を取り付けるためのねじ山１−７５を形成している。
【００４４】
また、図１−１と図１−２に示すように、針帽子１−１６と針筒１−１とが一体成形されるものであり、その中間部に薄弱破壊しやすい手段１−１７を有し、その端部に針筒１−１の底部円孔１−１３と合わせるための開口を有し、そのうちに針を収納できる円形長孔を有する。
【００４５】
また、図１−１に戻し、本発明は取り付ける際、まず針ベースプランジャー１−４を掛けフック収納室１−６のナット１−６３に取り付け、それから針ヘッドを針ベース１−７に取り付け、それから針ベース１−７を旋回装着し、四者を一体にならせる。針ベースプランジャー１−４は熱可塑性弾性材料からなるものであるので、その合わせる後に緊密的合わせとなる。それから、取り付け完成後の部分を針筒１−１の後部より針筒の前部まで差込、針ベース１−７の円形針係止部材１−７３を針筒の底部の取り付け孔１−１３を介して針筒１−１の底面部より伸び出させつつ緊密的に係止させ、それから針ロッドプランジャー１−３を針ロッド１−２の前端部のナット１−２４に取り付け、それから針ロッド掛けフック１−８を旋回固定し、同じようにそれらの三者を一体にならせ、それから取り付け終了後の針筒部分に差し込むと、組立が終わる。使用時、まず針帽子１−１６と針筒１−１とを分離させ、それから針ロッドを外方へ引き出し、薬液を吸入し、それから注射をし、その使用方式と現有の注射器と同様である。注射終了後に、楕円形の位置決め機能を有するため、針ロッドの長方形引きフック１−８５と掛けフック収納室１−６の長方形開口１−６６とをぴったり合わせさせ、引きフック１−８５を掛けフック収納室１−６の空所１−６１に入らせ、針ロッド掛けフック１−８の最先端の三角形引きフック１−８４が掛けフック収納室１−６における保護片同士１−６２によって形成されるスリット１−６５内に入り、それから針ロッド１−２を旋回する。この時、針ロッドの薄弱リング１−２６が破壊され、且つ針ロッド掛けフックも所定の角度を旋回し、長方形引きフック１−８５の自己破壊係止部材１−８３に掛けフック収納室表面の円孔１−６４に入らせ、構造の自己破壊を実践する。その同時に、三角形引きフック１−８４とスリット１−６５とが所定の角度を成す。それから外方へ針ロッド１−２を引き出し、この時、針ロッド１−２と、針ロッド掛けフック１−８と、針ベースプランジャー１−４と、掛けフック収納室１−６と、針ベース１−７と、針とが一斉に針筒１−１の内部に引っ込まれ、また、力を入れて針ロッド１−２を折り切れ、または針ロッドを逆転すると、針ロッド１−２と針ロッド掛けフック１−８の間の連接ネジを釈放させられ、針ロッド１−２を引き出させることができるようになり、余った部分が針筒内に留められ、破壊性保護の目的を図れる。
【００４６】
図２−１と図２−２と図２−３に示すように、本発明の第二の実施の形態の静脈注射器には、断面楕円形の針筒２−１と、針ロッド２−２と、針ロッド掛けフック２−８と、掛けフック収納室２−６と、針ベース係止部材２−７と、針ベース２−６７とを有し、針ロッド２−２の一端に取っ手２−２１を有し、取っ手２−２１には対称しあう保護翼同士２−２９を有しつつ、他端部に針ロッドプランジャー２−３を有する。取っ手２−２１がロッド体２−２２を介して針ロッドプランジャー２−３と連接し、針筒２−１の底部中央に針ベース係止部材２−７を取り付けるための取り付け孔２−１３を有し、針筒２−１の底部辺部に針ベース２−６７を取り付けるための取り付け孔２−１２を有する。針ベース係止部材２−７と、後部がそれとねじ山を介して連接される掛けフック収納室２−６が針ベースプランジャー２−４における通孔２−４１を介して針筒２−１に取り付けられ、掛けフック収納室２−６と針ベース２−６７とが一体成形され、針ベース２−６７が針ベースプランジャー２−４の縁部の通孔２−４２を介して針筒２−１に取り付けられる。針ロッドプランジャー２−２５には破壊しやすい手段２−２６が設けられる。針帽子２−１６と針筒２−１とが一体成形され、薄弱破壊しやすい手段２−１７が設けられる。使用前、それを破れ、一回だけ使用の目的を図る。
【００４７】
また、図２−３ａに示すように、前記ロッド体の横断面が“十”字形構造に形成される。針ロッドにおける切り欠き２−２３が針ロッド２−２２の“十”字形の四つの面におけるプランジャーベース２−２５との連接箇所に三角形の切り欠き２−２３を設けるものであり、切り欠き２−２３もリング状破壊しやすい手段２−２６の内円と連接する。切り欠き２−２３としていずれの形状、例えば長方形に形成させてもよい。
【００４８】
また、図２−３ｂに示すように、前記ロッド体のプランジャーベース２−２５における破壊しやすい手段は楕円形プランジャーベースに円形薄弱リング２−２６を形成することによって実践されるものである。
【００４９】
また、図２−３ａと図２−３ｂに示すように、ロッド体プランジャーベース２−２５における小円柱２−２７がプランジャー２−３と針ロッド２−２との位置関係を制限するものである。
【００５０】
図２−２ａと図２−２ｂと図２−２ｃに示すように、針筒２−１の断面が楕円形に形成され、その端部に外方へ張り出す手持ち部２−１１を有し、針筒２−１の底部中央に針ベース係止部材子部材２−７３のための取り付け孔２−１３を有し、針筒底部の縁部に針ベース２−６７と合せるための針ベース取り付け孔２−１２を有する。針筒２−１の内壁部の前端部に針ベースプランジャー２−４の緊密さを向上するためのリング状突起２−１４を有し、針帽子２−１６と針筒２−１とが一体成形され、薄弱破壊しやすい手段２−１７を設けている。
【００５１】
図２−１と図２−３と図２−４に示すように、針ロッド２−２のプランジャーベース２−２５の前端部に針ロッド掛けフック２−８と連接しあうナット２−２４を有する。針ロッド掛けフック２−８の後部にナット２−２４と合わせるためのねじ山２−８１を有する。針ロッド掛けフック２−８の中段部にプランジャー２−３を緊密的に固着するための突出円盤２−８２を有する。針ロッド掛けフック２−８の前端部に掛けフック収納室２−６と合わせるための長方形引きフック２−８５を有する。長方形引きフック２−８５には自己破壊係止部材２−８３を有する。針ロッド掛けフック２−８の最先端に三角形引きフック２−８４を有する。
【００５２】
図２−５に示すように、針ロッドプランジャー２−３には針ロッド２−２の前端部のナット２−２４を受け入れられる通孔３−３２を有し、針ロッドプランジャー２−３が楕円柱状に形成される。針ロッドプランジャー２−３には針ロッドプランジャーベース２−２５における小円柱２−２７と合わせるための円孔２−３１を有する。針ロッドプランジャー２−３として可塑性弾性材料からなるものを採用でき、針ロッドプランジャー通孔２−３２の対応しあう部位の直径がナット２−２４の直径よりやや小さく形成され、外力を加えることによって針ロッドプランジャー２−３が緊密的に取り付けられることを確保できる。
【００５３】
図２−７に示すように、掛けフック収納室２−６の表面には長方形引きフック２−８５と相似する形状の長方形開口２−６６を有し、長方形開口２−６６が引きフック収納室２−６内の所定の深さに至ると、長方形引きフック２−８５に所定の角度を旋回させられる空所２−６１を形成する。引きフック収納室２−６の表面には長方形引きフック２−８５における自己破壊係止部材２−８３と合わせるための円孔２−６４を有する。空所２−６１の前端部が二枚の保護片同士２−６２により針ロッド掛けフック２−８の最先端の三角形引きフック２−８４に通過させることができる細長いスリット２−６５を形成するように縮径される。掛けフック収納室２−６の前端部に針ベース係止部材２−７の後端部のねじ山２−７１と合わせるためのナット２−６３を有する。
【００５４】
図２−７に示すように、掛けフック収納室２−６の前端部のナット２−６３が中空状の円形通孔２−６９を有し、その後部が二枚の保護片同士２−６２に針ロッド掛けフック２−２８に最先端の三角形引きフック２−８４の通過を許容できる細長いスリット２−６５を形成するように縮径され、通孔２−６９が三角形引きフック２−８４が旋回可能な空所である。
【００５５】
図２−８に示すように、針ベース係止部材２−７の後端部のねじ山２−７１が掛けフック収納室２−６の前端部のナット２−６３と合わせるための中空状の円形通孔となり、当該通孔の前端部がストッパー２−７２によって封止される。針ベース係止部材２−７の前端部が円錐形の針ベース係止部材子部材２−７３を形成する。
【００５６】
図２−６と図２−７と図２−８に示すように、針ベース２−６７の中心部に薬液通孔２−６８を有し、その中段部に円形針係止部材２−６０を有し、針ベース２−６７と掛けフック収納室２−６とがねじ山によって一体になるように連接される。また、図２−１と図２−２に示すように、針筒２−１の底部の縁部における取り付け孔２−１２が針ベース２−６７の円形針係止部材２−６０のやや力を受けると刺し通されることができる円孔である。針筒２−１の底部中央における取り付け孔２−１３が針ベース係止部材２−７の円形針ベース係止部材子部材２−７３のやや力を受けると刺し通されることができる円孔である。針ベースプランジャー２−４が楕円柱状に形成され、その外径と針筒２−１の内径と合せあい、その中心部に針ベース係止部材孔部２−４１を有し、針ベース係止部材孔部２−４１には針ベース２−６７を緊密的に取り付けられる。針ベース係止部材２−７を引き戻す際に針ベースプランジャー２−４が脱落することを防止するために、針ベース係止部材２−７にはストッパー２−７２が形成される。
【００５７】
図２−１と図２−２に示すように、針帽子２−１６と針筒２−１とが一体成形され、その中間部に薄弱破壊しやすい手段２−１７を有し、その端部に針筒２−１の底部の取り付け孔２−１２と合わせるための開口を有し、そのうちに針を収納できる円形長孔を有する。
【００５８】
図２−１に戻り、取り付ける時、まず針ベースプランジャー２−４を掛けフック収納室２−６のナット２−６３と針ベース２−６７に取り付け、それから針ヘッドを針ベース２−６７に取り付け、それから針ベース係止部材２−７を旋回固定し、それらの四者を一体にならせる。針ベースプランジャー２−４は熱可塑性材料からなるものであるので、その合せる後に緊密的合わせとなり、それから取り付け終了後の部分を針筒２−１の後部より針筒２−１の前部まで差込、針ベース係止部材２−７の円形針ベース係止部材子部材２−７３を針筒の底部中央の取り付け孔２−１３より針筒２−１の底面より伸び出させると共に、緊密的に係止させる。それから針ロッドプランジャー２−３を針ロッド２−２の前端部のナット２−２４に取り付け、それから針ロッド掛けフック２−８を旋回し、同様にそれらの三者を一体にならせ、それからそれらを取り付け終了後の針筒部分に取り付ければよい。
【００５９】
図２−９ないし時２−１５に示すように、図において本実施の形態の他の実施例のそれぞれの部材の構造を示しており、図９には針ロッド２−２’の構造を示し、針ロッド２−２’の一端に取っ手２−２１’を有し、取っ手の両端部に対称しあう保護翼同士２−２９’を有し、その他端部に横切るように配置される円形板２−２８’を備え、円形板２−２８’の外方の“十”字形構造の二つの辺部における対称しあう箇所に二つの半楕円形の円形プランジャーベース２−２５’が設けられ、それらの二つのプランジャーベース２−２５’の外縁部が針筒の楕円形内壁部とぴったりあうような楕円柱状に形成され、プランジャーベース２−２５’と“十”字形構造の二つの縁部とが点連接構造を呈し、それによってプランジャーベース２−２５’における破壊しやすい手段２−２６’を形成する。針ロッドを旋回する時、プランジャーベースの二つの連接点が破壊され、自己破壊の目的を図れる。針ロッドの円形板２−２８’の前端部の中心部に針ロッド掛けフックと連接するネジ２−２４’が設けられ、二つの半楕円形プランジャーベース２５’においてそれぞれ対称しあう二本の小柱２−２７’が形成され、小柱２−２７’の位置と、針ロッドプランジャー２−３’の後端面における孔部２−３１’の位置と対応しあい、小柱２−２７’が針ロッドプランジャー２−３と針ロッド２−２’の位置関係を制限するためのものである。
【００６０】
また、図２−９ａないし図２−９ｅに示すように、前記ロッド体の横断面が“十”字形構造に形成され、当該ロッド体における折切れやすい構造はロッド体２−２２’の中段部の“十”字形構造の四つの面における三角形切り欠きからなり、場合によって他の折り切れ易い構造を採用してもよく、例えばその折切れやすい構造としてロッド体の適所に他の形状の折りきれ易い切り欠きなどを形成してもよい。
【００６１】
図２−１０に示すように、図において針ロッド掛けフック２−８’の構造を示し、当該針ロッド掛けフックの末端部に針ロッド２−２’と連接する雌ねじ２−８１’が形成され、針ロッド掛けフック２−８の中段部に針ロッドプランジャー２−３を緊密的に固着するための突出円盤２−８２’を有し、針ロッド掛けフック２−８の前端部に掛けフック収納室２−６と合わせるための矢印状の三角形引きフック２−８４’を有し、突出円盤２−８２’の引きフック８４’に近接する前端部の外側に中心線に平行する三角柱形の自己破壊係止部材２−８３’が設けられる。
【００６２】
図２−１３と図２−１０に示すように、掛けフック収納室２−６’が楕円形を呈し、その引きフックに近接する側の中段部に矢印状の三角形引きフック２−８４’の軸方向投影形状と相同の形状を有する長方形開口２−６５’を有し、長方形開口２−６５’が三角形引きフック２−８４’に通過させることを許容でき、掛けフック収納室２−６’の前端部に針ベース２−７’の後端部のねじ山２−７１’と合わせるためのナット２−６３’を有し、ナット２−６３’の内螺孔２−６９’が三角形引きフック２−８４’の旋回可能な空所となり、掛けフック収納室２−６’には一体成形の針ベース２−６７’を有し、針ベース２−６７’の中心部に薬液通孔２−６８’を有する。掛けフック収納室２−６’の引きフックに近接する側にほぼ９０度のリング槽柱状２−６４’が形成され、リング槽２柱状−６４‘の軸方向投影が時計方向に指す矢印状に形成され、且つ始発点より終止点までその槽幅が縮減され、且つ終止端部において三角形状の矢印ヘッド部によって終止される。図２−１０に示すように、針ロッド掛けフックの三角柱状の自己破壊係止部材２−８３’が掛けフック収納室２−６’の矢印状リング柱状槽２−６４’と合せられる。針ロッド掛けフックを旋回すると、三角柱状の自己破壊係止部材２−８３’が矢印状リング槽柱状２−６４‘の始発端より減衰状の矢印槽のヘッド部に滑り込みつつ、当該ヘッド部に係止され、取り戻せなくなり、それによって自己破壊の目的を図る。
【００６３】
図２−１１には針ロッドプランジャーの構造を示しており、針ロッドプランジャー２−３’には針ロッド掛けフック２−８’の後端部の外円を納入できる通孔２−３２’を有し、針ロッドプランジャー２−３’が楕円柱状に形成される。針ロッドプランジャー２−３’には半円形針ロッドプランジャーベース２−２５’における小柱２−２７’と合わせるための孔部２−３１’を有する。それと針ロッドプランジャー２−３’とがすべて熱可塑性弾性材料からなるものを採用でき、プランジャー通孔２−３２’の直径の対応しあう部分が針ロッド掛けフック２−８’の後端部の外円の直径よりやや小さく形成され、外力によって取り付けられ、それによって針ロッドプランジャー２−３’との緊密的取り付けを確保できる。
【００６４】
図２−１２に示す針ベースプランジャーの構造は、その針ベースプランジャー２−４’が楕円柱状に形成され、その外径と針筒２−１’の内径と合せあい、その中心部に針ベース係止部材孔部２−４１’を有し、針ベース係止部材孔部２−４１’には針ベース係止部材２−７’を緊密的に固定でき、針ベースプランジャー２−４’の縁部に針ベース孔部２−４２’を有し、針ベース孔部２−４２’には針ベース２−６７’を緊密的に取り付けられる。
【００６５】
針筒２−１として図２−２に示す構造を採用できる。
【００６６】
図２−１４に示すように、針ベース係止部材２−７’の一端部に掛けフック収納室のナット２−６３’と連接しあう雄ねじ２−７１’を有し、針ベース係止部材２−７’を引き戻す際に針ベースプランジャー２−４’が脱落することを防止するために、針ベース係止部材２−７’にはストッパー２−７２’を有し、前端部に円錐形の針ベース係止部材子部材２−７３’を有する。
【００６７】
取り付ける時、まず針ベース係止部材２−７’を針ベースプランジャー２−４’を介して掛けフック収納室２−６’とねじ山によって緊密的に螺合してから針筒２−１の開口より針筒の底部に取り付け、その針ベース係止部材と針筒中央取り付け孔２−１３と合せられ、薬液通路と針筒薬液通路取り付け孔２−１２と合わせられ、針ロッド２−２’と針ロッドプランジャー２−３’とを取り付け終了後に、針ロッドの小円柱と針ロッド小円柱孔と対応合せられ、また、掛けフック２−８’とねじ山によって緊密的に螺着後に針筒の後端部の開口より差込、掛けフック収納室の部分に至って緊密的に接触するまで差し込むようにする。使用時、注射終了後に、掛けフックの三角柱が丁度緊密的に掛けフック収納室の矢印状槽部２−６４’の始発端に接し、掛けフックにおける三角柱引きフック２−８４’が丁度掛けフック収納室における長方形孔２−６５’を通し、針ロッドを時計方向へ９０度旋回するとこの時、針ロッドにおける破壊しやすい点が破壊される、掛けフックにおける三角柱引きフックが丁度掛けフック収納室の矩形孔の両辺部長辺部に掛けられ、それと同時に、掛けフックにおける三角柱が掛けフック収納室における軌跡が減衰する矢印状の槽部を通して強引に矢印ヘッド部に入り、三角柱が後退できなくなり、掛けフックにおける三角柱引きフックも旋回移動できなくなり、自己破壊機能を実践するようになる。
【００６８】
図３−１に示すように、本注射器には、断面楕円形の針筒３−１と、針ロッド３−２と、針ベース３−７と、針３−５とを含み、針ロッド３−２の一端に取っ手３−２１を有し、その両端部に対称しあう保護翼同士３−２９を有し、針ロッドの他端部に針ロッドプランジャー３−３を有し、取っ手３−２１がロッド体３−２２を介してプランジャー３−３と連接する。針ベース３−７が針筒内底部の針ベースプランジャー３−４を介して針筒３−１に取り付けられる。針帽子３−６と針筒３−１とが一体成形され、且つ薄弱破壊しやすい手段３−６１を有し、使用前にそれを破壊すると、一回だけ使用の目的を図れるようになる。ロッド体３−２２には折り切れ易い構造を有し、当該折り切れ易い構造は、ロッド体の中段部における開口とロッド体の適所における折切れやすい槽とからなり、注射器が使用し終わると、それを折り切れることによって破壊性保護の目的を図る。
【００６９】
また、図３−３ａと図３−３ｃと図３−３ｄに示すように、前記ロッド体の横断面が“十”字形構造に形成され、そのロッド体の折り切れ易い構造の開口３−２３がロッド体３−２２の中段部における“十”字形構造の四つの面に位置し、場合によって他の折り切れ易い構造を採用してもよく、例えば、折り切れ易い構造としてロッド体の適所に折り切れ易い切り欠きなどを形成してもよい。
【００７０】
前記に説明した開口３−２３が長方形孔であり、その開口の面積がロッド体の横断面の面積の３０％−８０％である。
【００７１】
図３−２ａと図３−２ｂと図３−２ｄに示すように、針筒３−１が楕円柱状に形成され、その端部に外方へ張り出す手持ち部３−１１を有する。
【００７２】
図３−３に示すように、針ロッドのロッド体３−２２の底端部に円形のプランジャーベース３−２５が連接され、そのプランジャーベース３−２５の中心部に針ロッドプランジャー３−３を取り付けるためのプランジャー軸３−２８を有し、プランジャー軸３−２８には針ロッドプランジャー３−３を固定するための円盤３−２６を有する。図３−３に示すように、針ロッドプランジャー３−３にはプランジャー軸３−２８と円盤３−２６の差し込める通孔３−３３を有し、プランジャー３−３が楕円柱形に類似する形状に形成され、その楕円柱面の中間部分が内方へ凹むと共に、そのある底面部が中央外方へ突出する。プランジャー３−３の前端部に長方形開口３−３１を有し、プランジャー３−３として熱可塑性材料からなるものを採用でき、プランジャー通孔３−３３の対応しあう部分がプランジャー軸３−２８と円盤３−２６よりやや小さく形成され、外力を加えることによって取り付けられ、それによって安定な取り付け状態を確保できる。プランジャー軸３−２８の底端部に凹槽３−２４を有し、後パッド３−８が気軽に装着されることができるように作用できる。後パッド３−８には槽部３−８２と開口３−８１を有する。
【００７３】
図３−７に示すように、針ベース３−７には注射器の針ヘッドを取り付けるためのリング状針係止部材３−７２を有し、針ベース３７の中心部に通孔３−７４を有する。その中段部に一対の扇状ストッパー３−７５を有し、扇状ストッパー３−７５の円弧角度が好ましくは４５度以下に設定され、図において選定される円弧角度が３０度であり、その底部に係止盤３−７１を有する。また、取り付け図３−１と３−２に示すように、中心円孔３−１３に針ベース３−７の針係止部材３−７２を刺し通すことができ、扇状孔３−１４の円弧角度が少なくとも針ベースストッパー３−７５の円弧角度よりやや大きく形成され、それによって針ベースの一対のストッパー３−７５が順調に刺し通せることを確保でき、図において反映される円弧角度が針ベースストッパー３−７５の円弧角度より大きく見られ、その円弧角度がほぼ４５度である。また、図３−４に示すように、針筒の底部には針ベースを取り付けるための針ベースプランジャー３−４を有し、針ベースプランジャー３−４が楕円柱形に形成され、その外径と針筒の内径と合せられ、針ベースプランジャー３−４の中心部に針ベース孔部を有し、当該針ベース孔部には針ベース係止盤３−７１を緊密的に取り付けられる拡張部分を有する。
【００７４】
また、図３−５に示すように、前記針ベース孔部は、針ベース係止盤３−７１と針ロッド係止歯部３−２７の通過可能な端部孔３−４３と、針ベース係止盤３−７１を収納・係止できる中部孔３−４２と、針ベース中段部合わせ底部孔３−４１との三部分からなる。
【００７５】
取り付け図３−１と３−３に示すように、プランジャー軸３−２８がプランジャー３−３より伸び出し、そのプランジャーより伸び出される部分のプランジャー軸の端部に一対の係止歯部３−２７を有し、それらの係止歯部３−２７が扇状に形成されると共に、その中心線に回って対称分布し、扇状係止歯部３−２７の円弧角度が普段４５度以下であり、図に示す扇状係止歯部３−２７の円弧角度が３０度である。また、図３−７ａと図３−７ｃと図３−７ｄに示すように、係止盤３−７１の底面部に一対のプランジャーの端部箇所の係止歯部３−２７と相似しつつやや大きく形成される扇状開口３−７６を有し、図に示す扇状開口３−７６の円弧角度が４５度以下であり、係止歯部３−２７の開口３−７６に差し込むことを許容できる。開口３−７６が係止盤３−７１の所定の深さに至ると、その中心に回って係止歯部３−２７を納入できる収納室３−７３を旋回拡張形成される。収納室３−７３が係止歯部３−２７に係止歯部の円弧角度より大きい角度を回転させることができ、図における収納室３−７３の円弧角度が９０度である。
【００７６】
また、取り付け図３−１と図３−２と図３−５に示すように、前記の針筒底部の一対の扇状孔３−１４の同一方向の隣接する外表面に内方へ凹む部分３−１２を有し、その内方へ凹む部分３−２２が四分の一の楕円形に形成されると共に、その円弧角度が針ベースストッパーより大きく形成され、それによって針ベースが針筒の底部に取り付ける後に針ベースストッパーを旋回して針ベースを固定することに利する。
【００７７】
また、取り付け図３−１と図３−２に示すように、針帽子３−６と針筒３−１とが一体成形され、その中間部に薄弱破壊しやすい手段３−６１を有し、その端部には針筒３−１の底部円孔３−１３と合わせるための開口を有し、そのうちに針３−５を収納できる円形長孔を有する。
【００７８】
また、図３−１に戻り、本発明は取り付ける時、まず針ベース３−７を針ベースプランジャー３−４に取り付け、針ベース係止盤３−７１が丁度針ベース孔の中部孔３−４２に位置し、針ベースプランジャーは熱可塑性材料からなるものであるので、その合わせ後に緊密的合わせ状態となり、また、針ベースプランジャー３−４の前端部に前パッド３−９を付け加え、針係止部材３−７２に針３−５を取り付け、それから取り付け後の針ベース３−７を針筒３−１の上端部の開口より針筒の底部まで差込、針ベースの扇状ストッパー３−７５を針筒底部の取り付け孔より針筒３−１の底面より伸び出させ、且つ旋回させ、扇状ストッパー３−７５を針筒の底部の内方へ凹む部分３−１２に位置させ、それから取り付け終了後の針ロッド３−２をつければよい。使用時、まず針帽子３−６と針筒３−１を分離させ、それから外方へ針ロッドを引き出し、薬液を吸入し、それから注射をし、その使用方式と現有の注射器とが同じである。注射終了後に、楕円形の位置決め機能によって、針ロッド係止歯部３−２７と針ベース係止盤における扇状開口３−７６とをぴったり合せさせ、その係止歯部３−２７を針ベース収納室３−７３に入らせ、それから針ベース３−７を所定の角度まで旋回させて針ベースの扇状ストッパー３−７５と針筒底部の扇状孔３−１４とをぴったり合せさせ、この際、針ロッド係止歯部３−２７が針ベース収納室３−７３の旋回によって係止槽に入り、その後、外方へ針ロッド３−２を引き出し、この時、針ロッド３−２と針ベースプランジャー３−４と針ベース３−７と針３−５とが一斉に針筒３−１に入り、力を入れて針ロッド３−２を折り切れれば、破壊性保護の目的を図れる。
【図面の簡単な説明】
【図１】
図１は本発明の全体構造を示す説明図である。
【図２】
図２は針筒と針帽子の構造を示す説明図である。
【図２ａ】
図２ａは主体図である。
【図２ｂ】
図２ｂはＢ−Ｂ方向の側面断面図である。
【図２ｃ】
図２ｃはＡ−Ａ方向の側面断面図である。
【図３】
図３は針ロッドの構造を示す説明図である。
【図３ａ】
図３ａは主体図である。
【図３ｂ】
図３ｂは右側面図である。
【図３ｃ】
図３ｃは左側面図である。
【図３ｄ】
図３ｄは横断面図である。
【図４】
図４は針ロッド掛けフックの構造を示す説明図である。
【図４ａ】
図４ａは主体図である。
【図４ｂ】
図４ｂは左側面図である。
【図４ｃ】
図４ｃは平面図である。
【図４ｄ】
図４ｄは右側面図である。
【図４ｅ】
図４ｅはＡ−Ａ断面図である。
【図５】
図５は針ロッドプランジャー構造を示す説明図である。
【図５ａ】
図５ａは主体図である。
【図５ｂ】
図５ｂは平面図である。
【図５ｃ】
図５ｃは底面図である。
【図６】
図６は針ベースプランジャー構造を示す説明図である。
【図６ａ】
図６ａは主体図である。
【図６ｂ】
図６ｂは右側面図である。
【図６ｃ】
図６ｃは左側面図である。
【図７】
図７は掛けフック収納室構造を示す説明図である。
【図７ａ】
図７ａは主体図である。
【図７ｂ】
図７ｂは左側面図である。
【図７ｃ】
図７ｃは右側面図である。
【図７ｄ】
図７ｄはＡ−Ａ断面図である。
【図７ｅ】
図７ｅは平面図である。
【図８】
図８は針ベース構造を示す説明図である。
【図８ａ】
図８ａは主体図である。
【図８ｂ】
図８ｂは右側面図である。
【図８ｃ】
図８ｃは平面図である。
【図９】
図９は針ロッドの他の種の構造を示す説明図である。
【図９ａ】
図９ａは主体図である。
【図９ｂ】
図９ｂは右側面図である。
【図９ｃ】
図９ｃは平面図である。
【図９ｄ】
図９ｄはＡ−Ａ断面図である。
【図９ｅ】
図９ｅはＢ−Ｂ断面図である。
【図１０】
図１０は針ロッド掛けフックの他の種の構造を示す説明図である。
【図１０ａ】
図１０ａは主体図である。
【図１０ｂ】
図１０ｂは左側面図である。
【図１０ｃ】
図１０ｃは右側面図である。
【図１０ｄ】
図１０ｄは平面図である。
【図１１】
図１１は針ロッドプランジャーの構造を示す説明図である。
【図１１ａ】
図１１ａは主体図である。
【図１１ｂ】
図１１ｂは左側面図である。
【図１１ｃ】
図１１ｃは右側面図である。
【図１２】
図１２は針ベースプランジャーの構造を示す説明図である。
【図１２ａ】
図１２ａは主体図である。
【図１２ｂ】
図１２ｂは左側面図である。
【図１２ｃ】
図１２ｃは右側面図である。
【図１３】
図１３は掛けフック収納室の構造を示す説明図である。
【図１３ａ】
図１３ａは主体図である。
【図１３ｂ】
図１３ｂは左側面図である。
【図１３ｃ】
図１３ｃは右側面図である。
【図１３ｄ】
図１３ｄは平面図である。
【図１３ｅ】
図１３ｅはＡ−Ａ断面図である。
【図１４】
図１４は針ベース構造を示す説明図である。
【図１４ａ】
図１４ａは主体図である。
【図１４ｂ】
図１４ｂは右側面図である。
【図１４ｃ】
図１４ｃは平面図である。
【図１５】
図１５は針筒と針帽子の構造を示す説明図である。
【図１５ａ】
図１５ａは主体図である。
【図１５ｂ】
図１５ｂはＢ−Ｂ方向の側面図である。
【図１５ｃ】
図１５ｃはＡ−Ａ方向の側面図である。
【図１６】
図１６は針ロッド掛けフックの他の種の構造を示す説明図である。
【図１６ａ】
図１６ａは主体図である。
【図１６ｂ】
図１６ｂは左側面図である。
【図１６ｃ】
図１６ｃは右側面図である。
【図１６ｄ】
図１６ｄは平面図である。
【図１７】
図１７は掛けフック収納室の他の種の構造を示す説明図である。
【図１７ａ】
図１７ａは主体図である。
【図１７ｂ】
図１７ｂは左側面図である。
【図１７ｃ】
図１７ｃは右側面図である。
【図１７ｄ】
図１７ｄはＡ−Ａ断面図である。
【図１７ｅ】
図１７ｅは平面図である。
【図１−１】
図１−１は本発明の第一の実施の形態の全体構造を示す説明図である。
【図１−２】
図１−２は針筒と針帽子の構造を示す説明図である。
【図１−２ａ】
図１−２ａは主体図である。
【図１−２ｂ】
図１−２ｂはＢ−Ｂ方向の側面図である。
【図１−２ｃ】
図１−２ｃはＡ−Ａ方向の側面図である。
【図１−３】
図１−３は針ロッドの構造を示す説明図である。
【図１−３ａ】
図１−３ａは主体図である。
【図１−３ｂ】
図１−３ｂは右側面図である。
【図１−３ｃ】
図１−３ｃは左側面図である。
【図１−３ｄ】
図１−３ｄはＡ−Ａ断面図である。
【図１−４】
図１−４は針ロッド掛けフックの構造を示す説明図である。
【図１−４ａ】
図１−４ａは主体図である。
【図１−４ｂ】
図１−４ｂは左側面図である。
【図１−４ｃ】
図１−４ｃは平面図である。
【図１−４ｄ】
図１−４ｄはＡ−Ａ断面図である。
【図１−４ｅ】
図１−４ｅは右側面図である。
【図１−５】
図１−５は針ロッドプランジャー構造を示す説明図である。
【図１−５ａ】
図１−５ａは主体図である。
【図１−５ｂ】
図１−５ｂは平面図である。
【図１−５ｃ】
図１−５ｃは底面図である。
【図１−６】
図１−６は針ベースプランジャー構造を示す説明図である。
【図１−６ａ】
図１−６ａは主体図である。
【図１−６ｂ】
図１−６ｂは右側面図である。
【図１−６ｃ】
図１−６ｃは左側面図である。
【図１−７】
図１−７は掛けフック収納室構造を示す説明図である。
【図１−７ａ】
図１−７ａは主体図である。
【図１−７ｂ】
図１−７ｂは右側面図である。
【図１−７ｃ】
図１−７ｃは左側面図である。
【図１−７ｄ】
図１−７ｄはＡ−Ａ方向側面図である。
【図１−７ｅ】
図１−７ｅは平面図である。
【図１−８】
図１−８は針ベース構造を示す説明図である。
【図１−８ａ】
図１−８ａは主体図である。
【図１−８ｂ】
図１−８ｂは右側面図である。
【図１−８ｃ】
図１−８ｃは平面図である。
【図２−１】
図２−１は本発明の第二の実施の形態の全体構造を示す説明図である。
【図２−２】
図２−２は針筒と針帽子の構造を示す説明図である。
【図２−２ａ】
図２−２ａは主体図である。
【図２−２ｂ】
図２−２ｂはＢ−Ｂ方向側面図である。
【図２−２ｃ】
図２−２ｃは右側面図である。
【図２−３】
図２−３は針ロッド構造を示す説明図である。
【図２−３ａ】
図２−３ａは主体図である。
【図２−３ｂ】
図２−３ｂは右側面図である。
【図２−３ｃ】
図２−３ｃは左側面図である。
【図２−４】
図２−４は針ロッド掛けフック構造を示す説明図である。
【図２−４ａ】
図２−４ａは主体図である。
【図２−４ｂ】
図２−４ｂは左側面図である。
【図２−４ｃ】
図２−４ｃは平面図である。
【図２−４ｄ】
図２−４ｄは右側面図である。
【図２−４ｅ】
図２−４ｅはＡ−Ａ断面図である。
【図２−５】
図２−５は針ロッド掛けフック構造を示す説明図である。
【図２−５ａ】
図２−５ａは主体図である。
【図２−５ｂ】
図２−５ｂは平面図である。
【図２−５ｃ】
図２−５ｃは底面図である。
【図２−６】
図２−６は針ベースプランジャー構造を示す説明図である。
【図２−６ａ】
図２−６ａは主体図である。
【図２−６ｂ】
図２−６ｂは右側面図である。
【図２−６ｃ】
図２−６ｃは左側面図である。
【図２−７】
図２−７は掛けフック収納室構造を示す説明図である。
【図２−７ａ】
図２−７ａは主体図である。
【図２−７ｂ】
図２−７ｂは右側面図である。
【図２−７ｃ】
図２−７ｃは左側面図である。
【図２−７ｄ】
図２−７ｄはＡ−Ａ方向側面図である。
【図２−７ｅ】
図２−７ｅは平面図である。
【図２−８】
図２−８は針ベース構造を示す説明図である。
【図２−８ａ】
図２−８ａは主体図である。
【図２−８ｂ】
図２−８ｂは右側面図である。
【図２−８ｃ】
図２−８ｃは平面図である。
【図２−９】
図２−９は第二の実施の形態の針ロッドの他の種の構造を示す説明図である。
【図２−９ａ】
図２−９ａは主体図である。
【図２−９ｂ】
図２−９ｂは右側面図である。
【図２−９ｃ】
図２−９ｃは平面図である。
【図２−９ｄ】
図２−９ｄはＡ−Ａ断面図である。
【図２−９ｅ】
図２−９ｅはＢ−Ｂ断面図である。
【図２−１０】
図２−１０は針ロッド掛けフックの他の種の構造を示す説明図である。
【図２−１０ａ】
図２−１０ａは主体図である。
【図２−１０ｂ】
図２−１０ｂは左側面図である。
【図２−１０ｃ】
図２−１０ｃは右側面図である。
【図２−１０ｄ】
図２−１０ｄは平面図である。
【図２−１１】
図２−１１は針ロッドプランジャー構造を示す説明図である。
【図２−１１ａ】
図２−１１ａは主体図である。
【図２−１１ｂ】
図２−１１ｂは左側面図である。
【図２−１１ｃ】
図２−１１ｃは右側面図である。
【図２−１２】
図２−１２は針ベースプランジャー構造を示す説明図である。
【図２−１２ａ】
図２−１２ａは主体図である。
【図２−１２ｂ】
図２−１２ｂは左側面図である。
【図２−１２ｃ】
図２−１２ｃは右側面図である。
【図２−１３】
図２−１３は掛けフック収納室構造を示す説明図である。
【図２−１３ａ】
図２−１３ａは主体図である。
【図２−１３ｂ】
図２−１３ｂは左側面図である。
【図２−１３ｃ】
図２−１３ｃは右側面図である。
【図２−１３ｄ】
図２−１３ｄはＡ−Ａ断面図である。
【図２−１３ｅ】
図２−１３ｅはＢ−Ｂ断面図である。
【図２−１４】
図２−１４は針ベース構造を示す説明図である。
【図２−１４ａ】
図２−１４ａは主体図である。
【図２−１４ｂ】
図２−１４ｂは左側面図である。
【図３−１】
図３−１は本発明の第三の実施の形態の全体構造を示す説明図である。
【図３−２】
図３−２は針筒と針帽子の構造を示す説明図である。
【図３−２ａ】
図３−２ａは平面図である。
【図３−２ｂ】
図３−２ｂは主体図である。
【図３−２ｃ】
図３−２ｃはＢ−Ｂ方向側面図である。
【図３−２ｄ】
図３−２ｄはＡ−Ａ方向側面図である。
【図３−３】
図３−３は針ロッド構造を示す説明図である。
【図３−３ａ】
図３−３ａは主体図である。
【図３−３ｂ】
図３−３ｂは右側面図である。
【図３−３ｃ】
図３−３ｃはＣ−Ｃ断面図である。
【図３−３ｄ】
図３−３ｄはＢ−Ｂ断面図である。
【図３−３ｅ】
図３−３ｅはＡ−Ａ断面図である。
【図３−４】
図３−４は針ロッドプランジャー構造を示す説明図である。
【図３−４ａ】
図３−４ａは平面図である。
【図３−４ｂ】
図３−４ｂはプランジャー主体図である。
【図３−４ｃ】
図３−４ｃは左側面図である。
【図３−４ｄ】
図３−４ｄは底面図である。
【図３−５】
図３−５は針ベースプランジャー構造を示す説明図である。
【図３−５ａ】
図３−５ａは主体図である。
【図３−５ｂ】
図３−５ｂは平面図である。
【図３−５ｃ】
図３−５ｃは左側面図である。
【図３−６】
図３−６は針構造を示す説明図である。
【図３−６ａ】
図３−６ａは主体図である。
【図３−６ｂ】
図３−６ｂは平面図である。
【図３−７】
図３−７は針ベース構造を示す説明図である。
【図３−７ａ】
図３−７ａは主体図である。
【図３−７ｂ】
図３−７ｂは右側面図である。
【図３−７ｃ】
図３−７ｃは左側面図である。
【図３−７ｄ】
図３−７ｄはＡ−Ａ方向側面図である。
【図３−８】
図３−８は後パッド構造を示す説明図である。
【図３−８ａ】
図３−８ａは平面図である。
【図３−８ｂ】
図３−８ｂは主体図である。
【図３−９】
図３−９は前パッド構造を示す説明図である。
【図３−９ａ】
図３−９ａは主体図である。
【図３−９ｂ】
図３−９ｂは平面図である。
【国際公開パンフレット】
2004508145.tif 000003
2004508145.tif 000004
2004508145.tif 000005
2004508145.tif 000006
2004508145.tif 000007
2004508145.tif 000008
2004508145.tif 000009
2004508145.tif 000010
2004508145.tif 000011
2004508145.tif 000012
2004508145.tif 000013
2004508145.tif 000014
2004508145.tif 000015
2004508145.tif 000016
2004508145.tif 000017
2004508145.tif 000018
2004508145.tif 000019
2004508145.tif 000020
2004508145.tif 000021
2004508145.tif 000022
2004508145.tif 000023
2004508145.tif 000024
2004508145.tif 000025
2004508145.tif 000026
2004508145.tif 000027
2004508145.tif 000028
2004508145.tif 000029
2004508145.tif 000030
2004508145.tif 000031
2004508145.tif 000032
2004508145.tif 000033
2004508145.tif 000034
2004508145.tif 000035
2004508145.tif 000036
2004508145.tif 000037
2004508145.tif 000038
2004508145.tif 000039
2004508145.tif 000040
2004508145.tif 000041
2004508145.tif 000042
2004508145.tif 000043
2004508145.tif 000044
2004508145.tif 000045
2004508145.tif 000046
2004508145.tif 000047
2004508145.tif 000048
2004508145.tif 000049
2004508145.tif 000050
2004508145.tif 000051
2004508145.tif 000052
2004508145.tif 000053
2004508145.tif 000054
2004508145.tif 000055
2004508145.tif 000056
2004508145.tif 000057
2004508145.tif 000058
2004508145.tif 000059
2004508145.tif 000060
2004508145.tif 000061
2004508145.tif 000062
2004508145.tif 000063
2004508145.tif 000064
2004508145.tif 000065
2004508145.tif 000066
2004508145.tif 000067
2004508145.tif 000068
2004508145.tif 000069
2004508145.tif 000070
2004508145.tif 000071
2004508145.tif 000072
2004508145.tif 000073
2004508145.tif 000074
【国際調査報告】
2004508145.tif 000075
2004508145.tif 000076